(57)【要約】      （修正有）【課題】タクシーの利用者が所持する携帯通信端末に事前に定額乗車料金を表示する。【解決手段】定額乗車料金表示システムは、不特定多数の利用者が所持する携帯通信端末と、タクシーを運行する各事業者の事業者サーバと、各携帯通信端末と各事業者サーバとがネットワークを介して接続可能なシステム管理者のシステムサーバとから形成されている。携帯通信端末は、任意の地域の地図から出発地および目的地を指定し、出発地から目的地までの定額乗車料金を表示するとともに、タクシーの配車を予約する。システムサーバは、出発地および目的地が指定された場合、出発地から目的地までタクシーを運行した場合の定額乗車料金を算出し、その定額乗車料金を携帯通信端末に送信する。事業者サーバは、利用者がシステムサーバから送信された定額乗車料金でのタクシーの配車を予約したときに、出発地から目的地まで利用者を乗車させるタクシーの配車を手配する。【選択図】図１
2018088127.tif 000002
【特許請求の範囲】
【請求項１】
業務用自動車を利用する不特定多数の利用者が所持する携帯通信端末と、前記業務用自動車を運行する各事業者の事業者サーバと、各携帯通信端末と各事業者サーバとがネットワークを介して接続可能なシステム管理者のシステムサーバとから形成され、
前記携帯通信端末が、任意の地域の地図を表示する地図表示手段と、前記地図表示手段によって表示された地図から出発地を指定する出発地指定手段と、前記地図表示手段によって表示された地図から目的地を指定する目的地指定手段と、前記システムサーバから送信された定額乗車料金を表示する定額乗車料金表示手段と、前記業務用自動車の配車を予約する配車予約手段とを有し、
前記システムサーバが、前記出発地指定手段によって出発地が指定されるとともに、前記目的地指定手段によって目的地が指定された場合、前記出発地から前記目的地まで前記業務用自動車を運行した場合の定額乗車料金を算出する定額乗車料金算出手段と、前記定額乗車料金算出手段によって算出した定額乗車料金を前記携帯通信端末に送信する定額乗車料金送信手段とを有し、
前記事業者サーバが、前記利用者が前記システムサーバから送信された定額乗車料金での業務用自動車の配車を前記配車予約手段によって予約したときに、前記出発地から前記目的地まで利用者を乗車させる業務用自動車の配車を手配する配車手配手段を有することを特徴とする定額乗車料金表示システム。
【請求項２】
前記定額乗車料金算出手段が、前記出発地から前記目的地までの最短距離で前記業務用自動車を運行した場合の走行距離に応じた距離料金を算出し、算出した距離料金に前記出発地から前記目的地に達するまでの時間に応じた時間係数を乗じて前記定額乗車料金を算出する請求項１に記載の定額乗車料金表示システム。
【請求項３】
前記定額乗車料金算出手段が、所定の割引条件に対応した割引係数と所定の割増条件に対応した割増係数とのうちの少なくとも一方を前記距離料金に乗じ、前記割引係数と前記割増係数とのうちの少なくとも一方を乗じて算出された距離料金に前記時間係数を乗じて前記定額乗車料金を算出する請求項２に記載の定額乗車料金表示システム。
【請求項４】
前記システムサーバが、前記出発地から前記目的地までの予測経路を前記携帯通信端末に送信する予測経路送信手段と、前記出発地から前記目的地までの距離および該出発地から該目的地に到着するまでの時間を前記携帯通信端末に送信する距離・時間送信手段とを含み、前記携帯通信端末が、前記システムサーバから送信された前記出発地から前記目的地までの予測経路を前記地図表示手段によって表示された地図に表示する予測経路表示手段と、前記システムサーバから送信された前記出発地から前記目的地までの距離および該出発地から該目的地に到着するまでの時間を表示する距離・時間表示手段とを含む請求項１ないし請求項３いずれかに記載の定額乗車料金表示システム。
【請求項５】
前記携帯通信端末が、前記地図表示手段によって表示された地図から前記出発地と前記目的地との間における少なくとも１つの経由地を指定する経由地指定手段と、前記システムサーバから送信された分担定額乗車料金を表示する分担定額乗車料金表示手段とを含み、前記システムサーバが、前記出発地指定手段によって出発地が指定され、前記経由地指定手段によって経由地が指定されるとともに、前記目的地指定手段によって目的地が指定された場合、前記経由地と前記目的地とにおいて個別に支払う分担定額乗車料金を算出する分担定額乗車料金算出手段と、前記分担定額乗車料金算出手段によって算出した各分担定額乗車料金を前記携帯通信端末に送信する分担定額乗車料金送信手段とを含み、前記配車手配手段が、前記利用者が携帯通信端末に表示された分担定額乗車料金での業務用自動車の配車を前記配車予約手段によって予約したときに、前記経由地を経由しつつ前記出発地から前記目的地まで利用者を乗車させる業務用自動車の配車を手配する請求項１ないし請求項４いずれかに記載の定額乗車料金表示システム。
【請求項６】
前記分担定額乗車料金算出手段が、前記経由地を経由しつつ前記出発地から前記目的地までの最短距離で前記業務用自動車を運行した場合の全走行距離に応じた総距離料金を算出し、算出した総距離料金に前記経由地を経由しつつ前記出発地から前記目的地に達するまでの時間に応じた時間係数を乗じて乗車料金総額を算出し、前記出発地から前記経由地と前記目的地とに前記業務用自動車を最短距離で直接運行した場合の走行距離に応じた個別距離料金を算出し、算出した個別距離料金に前記出発地から前記経由地と前記目的地とに個別に達するまでの時間に応じた時間係数を乗じて個別乗車料金を算出するとともに、すべての個別乗車料金を加算した個別乗車料金総額で各個別乗車料金を除して前記経由地と前記目的地とにおける個別料金率を算出し、前記乗車料金総額に前記個別料金率を乗じて前記経由地と前記目的地とにおける各分担定額乗車料金を算出する請求項５に記載の定額乗車料金表示システム。
【請求項７】
前記分担定額乗車料金算出手段が、前記割引係数と前記割増係数とのうちの少なくとも一方を前記総距離料金に乗じ、前記割引係数と前記割増係数とのうちの少なくとも一方を乗じて算出された総距離料金に前記時間係数を乗じて前記乗車料金総額を算出し、前記割引係数と前記割増係数とのうちの少なくとも一方を前記個別距離料金に乗じ、前記割引係数と前記割増係数とのうちの少なくとも一方を乗じて算出された個別距離料金に前記時間係数を乗じて前記個別乗車料金を算出する請求項６に記載の定額乗車料金表示システム。
【請求項８】
前記予測経路送信手段が、前記経由地を経由しつつ前記出発地から前記目的地までの予測経路を前記携帯通信端末に送信し、前記距離・時間送信手段が、前記経由地を経由しつつ前記出発地から前記目的地までの距離および該経由地を経由しつつ該出発地から該目的地に到着するまでの時間を前記携帯通信端末に送信し、前記予測経路表示手段が、前記経由地を経由しつつ前記出発地から前記目的地までの予測経路を前記地図表示手段によって表示された地図に表示し、前記距離・時間表示手段が、前記経由地を経由しつつ前記出発地から前記目的地までの距離および該経由地を経由しつつ該出発地から該目的地に到着するまでの時間を表示する請求項４ないし請求項７いずれかに記載の定額乗車料金表示システム。
【請求項９】
前記各利用者が前記配車予約手段によって事業者サーバに業務用自動車の配車を予約したときに、その事業者サーバが、前記業務用自動車の配車の予約毎に前記システム管理者に所定のシステム利用料金を支払うシステム利用料金支払手段を含む請求項１ないし請求項８いずれかに記載の定額乗車料金表示システム。
【請求項１０】
前記各利用者が、前記定額乗車料金表示システムを利用する各事業者の中から特定の事業者の会員になり、前記システムサーバが、前記利用者が会員になった会員事業者以外の非会員事業者に前記配車予約手段によって業務用自動車の配車を予約したときに、前記会員事業者にシステム利用料金の中から所定のシェアー金額をキャッシュバックするキャッシュバック手段を含む請求項９に記載の定額乗車料金表示システム。
【請求項１１】
前記携帯通信端末が、前記配車手配手段によって配車された業務用自動車に乗車した利用者のその業務用自動車に対する評価を入力する評価入力手段を含み、前記システムサーバが、前記評価入力手段によって入力された評価を所定数の記号に変換しつつ、前記定額乗車料金表示システムを利用する各利用者の各携帯通信端末に前記所定数の記号を送信するとともに、前記事業者サーバに前記所定数の記号を送信する評価送信手段を含み、前記携帯通信端末と前記事業者サーバとが、前記システムサーバから送信された所定数の記号を表示する評価表示手段を含む請求項１ないし請求項９いずれかに記載の定額乗車料金表示システム。
【請求項１２】
前記事業者サーバが、前記評価送信手段によってシステムサーバから送信された記号が一定数を下回る場合、前記一定数を下回る記号による評価結果を削除して各利用者による評価に再チャレンジする評価リセット手段を含む請求項１１に記載の定額乗車料金表示システム。
【発明の詳細な説明】
【技術分野】
【０００１】
本発明は、業務用自動車を利用する不特定多数の利用者に出発地から目的地までの定額乗車料金を表示する定額乗車料金表示システムに関する。
【背景技術】
【０００２】
タクシーの料金体系エリア毎のエリア別料金体系を記憶したエリア別料金体系データベースと、タクシーの現在位置の情報を取得するタクシー現在位置情報取得手段と、実車状態または営業状態開始時にタクシー現在位置情報取得手段が取得したタクシーの現在位置の情報を利用してタクシー現在位置が属する料金体系エリアのエリア料金体系をエリア別料金体系データベースから選択するエリア料金体系選択手段と、エリア料金体系選択手段によって選択されたエリア料金体系に基づいてタクシーの乗車料金を計算する乗車料金計算手段とを有するタクシーに備えられたタクシー料金計算装置が開示されている（特許文献１参照）。
【先行技術文献】
【特許文献】
【０００３】
【特許文献１】特開２００７−２１３６２０号公報
【発明の概要】
【発明が解決しようとする課題】
【０００４】
前記特許文献１に開示のタクシー料金計算装置は、営業エリアに適用される料金体系の選択を自動で行うことができ、各営業エリアの料金体系に基づいて乗車料金を計算することができる。しかし、タクシーの利用者が所持する携帯通信端末に定額乗車料金が事前に表示されることはなく、利用者が事前に示された定額乗車料金を考慮してタクシーへの乗車の有無を決めることはできないとともに、事前に示された定額乗車料金によってタクシーへの乗車を決めた場合でも携帯通信端末からタクシーの配車の予約をすることはできない。また、出発地と目的地との間に所定の経由地がある場合、出発地や経由地、目的地の各地別に出発地や経由地、目的地で降車する各利用者が分担する分担定額乗車料金が携帯通信端末に表示されることはなく、各利用者が事前に示された分担定額乗車料金を考慮してタクシーへの相乗りの有無を決めることはできないとともに、事前に示された分担定額乗車料金によってタクシーへの乗車を決めた場合でも携帯通信端末からタクシーの配車の予約をすることはできない。
【０００５】
本発明の目的は、業務用自動車を利用する不特定多数の利用者が所持する携帯通信端末に事前に定額乗車料金を表示することができ、各利用者が事前に表示された定額乗車料金を考慮して業務用自動車への乗車の有無を決めることができるとともに、業務用自動車への乗車を決めたときに携帯通信端末から業務用自動車の配車を予約することができる定額乗車料金表示システムを提供することにある。本発明の他の目的は、出発地と目的地との間に所定の経由地がある場合、出発地や経由地、目的地の各地別に出発地や経由地、目的地で降車する各利用者が分担する分担乗車料金を利用者の携帯通信端末に表示することができ、各利用者が事前に示された分担乗車料金を考慮してタクシーへの相乗りの有無を決めることができるとともに、業務用自動車への相乗りを決めたときに携帯通信端末から業務用自動車の配車を予約することができる定額乗車料金表示システムを提供することにある。
【課題を解決するための手段】
【０００６】
前記課題を解決するための本発明にかかる定額乗車料金表示システムは、業務用自動車を利用する不特定多数の利用者が所持する携帯通信端末と、業務用自動車を運行する各事業者の事業者サーバと、各携帯通信端末と各事業者サーバとがネットワークを介して接続可能なシステム管理者のシステムサーバとから形成され、携帯通信端末が、任意の地域の地図を表示する地図表示手段と、地図表示手段によって表示された地図から出発地を指定する出発地指定手段と、地図表示手段によって表示された地図から目的地を指定する目的地指定手段と、システムサーバから送信された定額乗車料金を表示する定額乗車料金表示手段と、業務用自動車の配車を予約する配車予約手段とを有し、システムサーバが、出発地指定手段によって出発地が指定されるとともに、目的地指定手段によって目的地が指定された場合、出発地から目的地まで業務用自動車を運行した場合の定額乗車料金を算出する定額乗車料金算出手段と、定額乗車料金算出手段によって算出した定額乗車料金を携帯通信端末に送信する定額乗車料金送信手段とを有し、事業者サーバが、利用者がシステムサーバから送信された定額乗車料金での業務用自動車の配車を配車予約手段によって予約したときに、出発地から目的地まで利用者を乗車させる業務用自動車の配車を手配する配車手配手段を有することを特徴とする。
【０００７】
本発明の定額乗車料金表示システムの一例としては、定額乗車料金算出手段が、出発地から目的地までの最短距離で業務用自動車を運行した場合の走行距離に応じた距離料金を算出し、算出した距離料金に出発地から目的地に達するまでの時間に応じた時間係数を乗じて定額乗車料金を算出する。
【０００８】
本発明の定額乗車料金表示システムの他の一例としては、定額乗車料金算出手段が、所定の割引条件に対応した割引係数と所定の割増条件に対応した割増係数とのうちの少なくとも一方を距離料金に乗じ、割引係数と割増係数とのうちの少なくとも一方を乗じて算出された距離料金に時間係数を乗じて定額乗車料金を算出する。
【０００９】
本発明の定額乗車料金表示システムの他の一例としては、システムサーバが、出発地から目的地までの予測経路を携帯通信端末に送信する予測経路送信手段と、出発地から目的地までの距離および出発地から目的地に到着するまでの時間を携帯通信端末に送信する距離・時間送信手段とを含み、携帯通信端末が、システムサーバから送信された出発地から目的地までの予測経路を地図表示手段によって表示された地図に表示する予測経路表示手段と、システムサーバから送信された出発地から目的地までの距離および出発地から目的地に到着するまでの時間を表示する距離・時間表示手段とを含む。
【００１０】
本発明の定額乗車料金表示システムの他の一例としては、携帯通信端末が、地図表示手段によって表示された地図から出発地と目的地との間における少なくとも１つの経由地を指定する経由地指定手段と、システムサーバから送信された分担定額乗車料金を表示する分担定額乗車料金表示手段とを含み、システムサーバが、出発地指定手段によって出発地が指定され、経由地指定手段によって経由地が指定されるとともに、目的地指定手段によって目的地が指定された場合、経由地と目的地とにおいて個別に支払う分担定額乗車料金を算出する分担定額乗車料金算出手段と、分担定額乗車料金算出手段によって算出した各分担定額乗車料金を携帯通信端末に送信する分担定額乗車料金送信手段とを含み、配車手配手段が、利用者が携帯通信端末に表示された分担定額乗車料金での業務用自動車の配車を配車予約手段によって予約したときに、経由地を経由しつつ出発地から目的地まで利用者を乗車させる業務用自動車の配車を手配する。
【００１１】
本発明の定額乗車料金表示システムの他の一例としては、分担定額乗車料金算出手段が、経由地を経由しつつ出発地から目的地までの最短距離で業務用自動車を運行した場合の全走行距離に応じた総距離料金を算出し、算出した総距離料金に経由地を経由しつつ出発地から目的地に達するまでの時間に応じた時間係数を乗じて乗車料金総額を算出し、出発地から経由地と目的地とに業務用自動車を最短距離で直接運行した場合の走行距離に応じた個別距離料金を算出し、算出した個別距離料金に出発地から経由地と目的地とに個別に達するまでの時間に応じた時間係数を乗じて個別乗車料金を算出するとともに、すべての個別乗車料金を加算した個別乗車料金総額で各個別乗車料金を除して経由地と目的地とにおける個別料金率を算出し、乗車料金総額に個別料金率を乗じて経由地と目的地とにおける各分担定額乗車料金を算出する。
【００１２】
本発明の定額乗車料金表示システムの他の一例としては、分担定額乗車料金算出手段が、割引係数と割増係数とのうちの少なくとも一方を総距離料金に乗じ、割引係数と割増係数とのうちの少なくとも一方を乗じて算出された総距離料金に時間係数を乗じて乗車料金総額を算出し、割引係数と割増係数とのうちの少なくとも一方を個別距離料金に乗じ、割引係数と割増係数とのうちの少なくとも一方を乗じて算出された個別距離料金に時間係数を乗じて個別乗車料金を算出する。
【００１３】
本発明の定額乗車料金表示システムの他の一例としては、予測経路送信手段が、経由地を経由しつつ出発地から目的地までの予測経路を携帯通信端末に送信し、距離・時間送信手段が、経由地を経由しつつ出発地から目的地までの距離および経由地を経由しつつ出発地から目的地に到着するまでの時間を携帯通信端末に送信し、予測経路表示手段が、経由地を経由しつつ出発地から目的地までの予測経路を地図表示手段によって表示された地図に表示し、距離・時間表示手段が、経由地を経由しつつ出発地から目的地までの距離および経由地を経由しつつ出発地から目的地に到着するまでの時間を表示する。
【００１４】
本発明の定額乗車料金表示システムの他の一例としては、各利用者が配車予約手段によって事業者サーバに業務用自動車の配車を予約したときに、その事業者サーバが、業務用自動車の配車の予約毎にシステム管理者に所定のシステム利用料金を支払うシステム利用料金支払手段を含む。
【００１５】
本発明の定額乗車料金表示システムの他の一例としては、各利用者が定額乗車料金表示システムを利用する各事業者の中から特定の事業者の会員になり、システムサーバが、利用者が会員になった会員事業者以外の非会員事業者に配車予約手段によって業務用自動車の配車を予約したときに、会員事業者にシステム利用料金の中から所定のシェアー金額をキャッシュバックするキャッシュバック手段を含む。
【００１６】
本発明の定額乗車料金表示システムの他の一例としては、携帯通信端末が、配車手配手段によって配車された業務用自動車に乗車した利用者のその業務用自動車に対する評価を入力する評価入力手段を含み、システムサーバが、評価入力手段によって入力された評価を所定数の記号に変換しつつ、定額乗車料金表示システムを利用する各利用者の各携帯通信端末に所定数の記号を送信するとともに、事業者サーバに所定数の記号を送信する評価送信手段を含み、携帯通信端末と事業者サーバとが、システムサーバから送信された所定数の記号を表示する評価表示手段を含む。
【００１７】
本発明の定額乗車料金表示システムの他の一例としては、事業者サーバが、評価送信手段によってシステムサーバから送信された記号が一定数を下回る場合、一定数を下回る記号による評価結果を削除して各利用者による評価に再チャレンジする評価リセット手段を含む。
【発明の効果】
【００１８】
本発明に係る定額乗車料金表示システムによれば、利用者が所持する携帯通信端末に表示された地図から利用者が出発地と目的地とを指定した場合、システムサーバが出発地から目的地までの定額乗車料金を算出しつつその定額乗車料金を携帯通信端末に送信し、携帯通信端末が定額乗車料金を表示するから、業務用自動車を利用する不特定多数の利用者が所持する携帯通信端末に出発地から目的地までの定額乗車料金（乗車前における業務用自動車の乗車料金）を事前に表示することができ、各利用者がその定額乗車料金を考慮して業務用自動車への乗車の有無を決めることができる。定額乗車料金表示システムは、各利用者がその定額乗車料金を考慮して業務用自動車への乗車を決めた場合、携帯通信端末を利用して利用者がその定額乗車料金での業務用自動車の配車を予約し、事業者サーバが出発地から目的地まで利用者を乗車させる業務用自動車の配車を手配するから、利用者がその定額乗車料金での業務用自動車への乗車を決めたときに携帯通信端末から業務用自動車の配車を直ちに予約することができ、業務用自動車を出発地に速やかに配車することができる。定額乗車料金表示システムは、出発地から目的地までの定額乗車料金が利用者に事前に示されるから、業務用自動車への乗車前に乗車料金が明確になり、乗車料金に対する利用者の不安を取り除くことができ、利用者が安心して業務用自動車に乗車することができる。
【００１９】
出発地から目的地までの最短距離で業務用自動車を運行した場合の走行距離に応じた距離料金を算出し、算出した距離料金に出発地から目的地に達するまでの時間に応じた時間係数を乗じて定額乗車料金を算出する定額乗車料金表示システムは、出発地から目的地までの距離に応じた距離料金に自然渋滞や時間渋滞等の時間的な条件を加える時間係数を乗じることで、自然渋滞や時間渋滞等を考慮した出発地から目的地までの正確かつ最低限の定額乗車料金を算出することができ、業務用自動車への乗車前に乗車料金が明確になり、乗車料金に対する利用者の不安を取り除くことができ、利用者が安心して業務用自動車に乗車することができる。
【００２０】
所定の割引条件に対応した割引係数と所定の割増条件に対応した割増係数とのうちの少なくとも一方を距離料金に乗じ、割引係数と割増係数とのうちの少なくとも一方を乗じて算出された距離料金に時間係数を乗じて定額乗車料金を算出する定額乗車料金表示システムは、障害者割引や遠距離割引、高齢者割引等の割引条件がある場合、その割引条件に対応した割引係数を距離料金に乗じることで、割引条件を加えた定額乗車料金を算出することができ、割引条件を有する利用者に正確な定額乗車料金を提示することができる。定額乗車料金表示システムは、深夜運行や早朝運行、特殊営業車両運行（車両割増）等の割増条件がある場合、その割増条件に対応した割増係数を距離料金に乗じることで、割増条件を加えた定額乗車料金を算出することができ、割増条件での運行時の利用者に正確な定額乗車料金を提示することができる。
【００２１】
システムサーバが出発地から目的地までの予測経路を携帯通信端末に送信するとともに、出発地から目的地までの距離および出発地から目的地に到着するまでの時間を携帯通信端末に送信し、携帯通信端末がシステムサーバから送信された出発地から目的地までの予測経路を地図に表示するとともに、システムサーバから送信された出発地から前記目的地までの距離および出発地から目的地に到着するまでの時間を表示する定額乗車料金表示システムは、利用者が所持する携帯通信端末に表示された地図に出発地から目的地までの予測経路が表示され、出発地から目的地までの距離や出発地から目的地に到着するまでの時間が表示されることで、利用者が定額乗車料金とともに予測経路や距離、時間を知ることができ、各利用者が定額乗車料金とともに予測経路や距離、時間を考慮して業務用自動車への乗車の有無を決めることができる。
【００２２】
携帯通信端末に表示された地図から利用者が出発地と少なくとも１つの経由地と目的地とを指定した場合、システムサーバが経由地と目的地とにおいて個別に支払う分担定額乗車料金を算出しつつ各分担定額乗車料金を携帯通信端末に送信し、携帯通信端末が分担定額乗車料金を表示する定額乗車料金表示システムは、業務用自動車を利用する不特定多数の利用者が所持する携帯通信端末に経由地と目的地とにおいて各利用者が個別に支払う分担定額乗車料金（乗車前におけるタクシーの各相乗り料金）を事前に表示することができ、各利用者が分担定額乗車料金を考慮して業務用自動車への乗車の有無を決めることができる。定額乗車料金表示システムは、各利用者が分担定額乗車料金を考慮して業務用自動車への乗車を決めた場合、携帯通信端末を利用して利用者が分担定額乗車料金での業務用自動車の配車を予約し、事業者サーバが経由地を経由しつつ出発地から目的地まで利用者を乗車させる業務用自動車の配車を手配するから、利用者がその分担定額乗車料金での業務用自動車への乗車を決めたときに携帯通信端末から業務用自動車の配車を直ちに予約することができ、業務用自動車を出発地に速やかに配車することができる。定額乗車料金表示システムは、経由地と目的地とにおいて各利用者が個別に支払う分担定額乗車料金が各利用者に事前に示されるから、業務用自動車への乗車前に各利用者の乗車料金が明確になり、乗車料金に対する各利用者の不安を取り除くことができ、それら利用者が安心して業務用自動車に相乗りすることができる。
【００２３】
経由地を経由しつつ出発地から目的地までの最短距離で業務用自動車を運行した場合の全走行距離に応じた総距離料金を算出し、算出した総距離料金に経由地を経由しつつ出発地から目的地に達するまでの時間に応じた時間係数を乗じて乗車料金総額を算出し、出発地から経由地と目的地とに業務用自動車を最短距離で直接運行した場合の走行距離に応じた個別距離料金を算出し、算出した個別距離料金に出発地から経由地と目的地とに個別に達するまでの時間に応じた時間係数を乗じて個別乗車料金を算出するとともに、すべての個別乗車料金を加算した個別乗車料金総額で各個別乗車料金を除して経由地と目的地とにおける個別料金率を算出し、乗車料金総額に個別料金率を乗じて経由地と目的地とにおける各分担定額乗車料金を算出する定額乗車料金表示システムは、経由地を経由しつつ出発地から目的地までの最短の全走行距離に応じた総距離料金に自然渋滞や時間渋滞等の時間的な条件を加える時間係数を乗じて乗車料金総額を算出し、出発地から経由地と目的地とに業務用自動車を最短距離で直接運行した場合の走行距離に応じた個別距離料金に自然渋滞や時間渋滞等の時間的な条件を加える時間係数を乗じて個別乗車料金を算出し、乗車料金総額に個別料金率を乗じて経由地と目的地とにおける各分担定額乗車料金を算出するから、自然渋滞や時間渋滞等を考慮した経由地と目的地とにおける正確かつ最低限の各分担定額乗車料金を算出することができ、業務用自動車への乗車前に相乗りにかかる乗車料金が明確になり、乗車料金に対する各利用者の不安を取り除くことができ、利用者が安心して業務用自動車に相乗りすることができる。
【００２４】
割引係数と割増係数とのうちの少なくとも一方を総距離料金に乗じ、割引係数と割増係数とのうちの少なくとも一方を乗じて算出された総距離料金に時間係数を乗じて乗車料金総額を算出し、割引係数と割増係数とのうちの少なくとも一方を個別距離料金に乗じ、割引係数と割増係数とのうちの少なくとも一方を乗じて算出された個別距離料金に時間係数を乗じて個別乗車料金を算出する定額乗車料金表示システムは、障害者割引や遠距離割引、高齢者割引等の割引条件がある場合、その割引条件に対応した割引係数を総距離料金に乗じるとともに、割引係数を個別距離料金に乗じることで、割引条件を加えた分担定額乗車料金を算出することができ、割引条件を有する利用者に正確な分担定額乗車料金を提示することができる。定額乗車料金表示システムは、深夜運行や早朝運行、特殊営業車両運行等の割増条件がある場合、その割増条件に対応した割増係数を総距離料金に乗じるとともに、割増係数を個別距離料金に乗じることで、割増条件を加えた分担定額乗車料金を算出することができ、割増条件を有する利用者に正確な分担定額乗車料金を提示することができる。
【００２５】
システムサーバが経由地を経由しつつ出発地から目的地までの予測経路を携帯通信端末に送信するとともに、経由地を経由しつつ出発地から目的地までの距離および経由地を経由しつつ出発地から目的地に到着するまでの時間を携帯通信端末に送信し、携帯通信端末が経由地を経由しつつ出発地から目的地までの予測経路を地図に表示するとともに、経由地を経由しつつ出発地から目的地までの距離および経由地を経由しつつ出発地から目的地に到着するまでの時間を表示する定額乗車料金表示システムは、利用者が所持する携帯通信端末に表示された地図に経由地を経由しつつ出発地から目的地までの予測経路が表示され、携帯通信端末に経由地を経由しつつ出発地から目的地までの距離および経由地を経由しつつ出発地から目的地に到着するまでの時間が表示されることで、利用者が分担定額乗車料金とともに経由地を経由する場合の予測経路や距離、時間を知ることができ、各利用者が分担定額乗車料金とともに経由地を経由する場合の予測経路や距離、時間を考慮して業務用自動車への乗車の有無を決めることができる。
【００２６】
各利用者が事業者サーバに業務用自動車の配車を予約したときに、その事業者サーバが業務用自動車の配車の予約毎にシステム管理者に所定のシステム利用料金を支払う定額乗車料金表示システムは、業務用自動車の配車の予約毎に事業者からシステム管理者にシステム利用料金が支払われることで、業務用自動車を運行する各事業者のみならず、システム管理者も利益を上げることができ、その利益によって定額乗車料金表示システムの利用者へのサービス向上を図ることができる。
【００２７】
各利用者が定額乗車料金表示システムを利用する各事業者の中から特定の事業者の会員になり、会員になった会員事業者以外の非会員事業者に各利用者が業務用自動車の配車を予約したときに、システムサーバが会員事業者にシステム利用料金の中から所定のシェアー金額をキャッシュバックする定額乗車料金表示システムは、定額乗車料金表示システムを利用する各事業者であれば、会員事業者が運行する業務用自動車のみならず、非会員事業者が運行する業務用自動車においても定額乗車料金で各利用者が利用することができ、利用者が各地において事前に示された定額乗車料金で業務用自動車に乗車することができる。定額乗車料金表示システムは、会員事業者にシステム利用料金の中から所定のシェアー金額をキャッシュバックすることで、会員の多い事業者が一層利益を上げることが可能なビジネスモデルを作ることができ、各事業者に対して定額乗車料金表示システムを利用する会員獲得の促進を図ることができる。
【００２８】
配車された業務用自動車に乗車した利用者のその業務用自動車に対する評価を携帯通信端末から入力し、システムサーバが携帯通信端末から入力された評価を所定数の記号に変換しつつ各利用者の各携帯通信端末と事業者サーバとに所定数の記号を送信し、携帯通信端末と事業者サーバとがシステムサーバから送信された所定数の記号を表示する定額乗車料金表示システムは、事業者サーバに表示された評価を確認することで、各事業者が利用者の評価を知ることができ、評価が低い場合、利用者に対するサービス向上に努めることで、各事業者の業務用自動車に対する利用者を増やすことができる。定額乗車料金表示システムは、携帯通信端末に各事業者の評価が表示されるから、利用者が各事業者の評価を知ることができ、評価を検討しつつその事業者の業務用自動車の利用の有無を決めることができる。
【００２９】
システムサーバから送信された記号が一定数を下回る場合、事業者サーバが一定数を下回る記号による評価結果を削除して各利用者による評価に再チャレンジする定額乗車料金表示システムは、低い評価の事業者に対して各利用者による評価の再チャレンジをすることで、各事業者が評価アップのための方策を立案し、それを実行することで、業務用自動車を利用する利用者に対するサービス向上を図ることができ、その事業者の業務用自動車の利用者を増やすことができるとともに、各事業者の売り上げを増やすことができる。
【図面の簡単な説明】
【００３０】
【図１】一例として示す定額乗車料金表示システムの構成図。
【図２】メニュー画面（初期画面）の一例を示す図。
【図３】出発地・目的地入力画面の一例を示す図。
【図４】地図表示選択画面の一例を示す図。
【図５】地図表示画面（経由地なし）の一例を示す図。
【図６】地図表示画面（経由地なし）の他の一例を示す図。
【図７】定額乗車料金表示・配車予約画面の一例を示す図。
【図８】配車予約受付画面の一例を示す図。
【図９】出発地・経由地・目的地入力画面の一例を示す図。
【図１０】地図表示画面（経由地あり）の他の一例を示す図。
【図１１】地図表示画面（経由地あり）の他の一例を示す図。
【図１２】分担定額乗車料金の算出を説明する図。
【図１３】分担定額乗車料金表示・配車予約画面の一例を示す図。
【図１４】配車予約受付画面の他の一例を示す図。
【図１５】シェアー金額表示画面の一例を示す図。
【図１６】評価入力画面の一例を示す図。
【図１７】評価表示画面の一例を示す図。
【図１８】評価表示画面の一例を示す図。
【発明を実施するための形態】
【００３１】
一例として示す定額乗車料金表示システム１０の構成図である図１等の添付の図面を参照し、本発明に係る定額乗車料金表示システムの詳細を説明すると、以下のとおりである。図１では、１台のシステムサーバ１１、２台の事業者サーバ１２、２台のスマートフォン１３ａ（携帯通信端末）、２台のノート型パソコン１３ｂ（携帯通信端末）、２台のタブレット１３ｃ（携帯通信端末）を図示しているが、実際の定額乗車料金表示システム１０では、インターネット（ネットワーク）を介して接続される各種複数のサーバが存在し、各タクシー会社（各事業者）の各種複数の事業者サーバ１２が存在するとともに、不特定多数の利用者が所持する各種複数のスマートフォン１３ａやパソコン１３ｂ、タブレット１３ｃが存在する。
【００３２】
なお、携帯通信端末には、携帯情報端末（ＰＤＡ）やウエアラブル端末も含まれ、さらに、今後開発されるインターネットに接続可能な全ての携帯通信端末が含まれる。また、インターネットの他に、事業者サーバ１２、スマートフォン１３ａ、ノート型パソコン１３ｂ、タブレット１３ｃがシステムサーバ１１とＬＡＮやＷＡＮ等の他のネットワークによって接続される場合も含まれる。利用者には、個人、法人、企業団体等が含まれる。定額乗車料金表示システム１０を利用する各タクシー会社は、定額乗車料金表示システム１０を管理・提供するシステム管理会社（システム管理者）と利用契約を結んでいる。
【００３３】
定額乗車料金表示システム１０を利用する利用者は、システム１０を利用する特定のタクシー会社と利用契約を結び、利用契約をしたタクシー会社（会員事業者）の会員になり、原則として会員タクシー会社（会員事業者）の営業エリアを走行する会員タクシー会社のタクシーを利用する。ただし、利用者は、契約をした会員タクシー会社以外であってシステム１０を利用する非会員タクシー会社（非会員事業者）の営業エリアを走行する非会員タクシー会社のタクシーを利用することもできる。利用契約を結んだ利用者には、会員番号（識別子）が付与され、カード（キャッシュカードや会員証明カード）が発行される。
【００３４】
定額乗車料金表示システム１０は、タクシー（業務用自動車）を利用する不特定多数の利用者が所持する各種複数のスマートフォン１３ａや各種複数のパソコン１３ｂ、各種複数のタブレット１３ｃと、各タクシー会社（各事業者）の各種複数の事業者サーバ１２と、システムサーバ１１とから形成されている。業務用自動車には、タクシーのみならず、ハイヤーも含まれる。定額乗車料金表示システム１０は、タクシーを利用する不特定多数の利用者に出発地から目的地までの定額乗車料金（乗車前におけるタクシーの乗車料金）を表示するとともに、各利用者（各相乗り者）に経由地と目的地とにおいて個別に支払う各分担定額乗車料金（乗車前におけるタクシーの各相乗り料金）を表示する。
【００３５】
事業者サーバ１２、システムサーバ１１や事業者サーバ１２、パソコン１３ｃは、中央処理部（ＣＰＵまたはＭＰＵ）とメモリ（メインメモリおよびキャッシュメモリ）とを有して独立したオペレーティングシステム（ＯＳ）によって動作する物理的なコンピュータであり、大容量記憶領域（大容量ハードディスク等）を実装している。事業者サーバ１２は、タクシー会社が契約するデータセンターに設置されている。なお、事業者サーバ１２がタクシー会社の本社や事業所に設置される場合もある。システムサーバ１１は、システム管理会社（システム管理者）が契約するデータセンターに設置されている。なお、システムサーバ１１がシステムを管理するシステム管理会社（システム管理者）の本社や事業所に設置される場合もある。
【００３６】
システムサーバ１１や事業者サーバ１２は、ＤＮＳサーバ機能、データベースサーバ機能、Ｗｅｂサーバ機能、メールサーバ機能、ドキュメントサーバ機能の各種サーバ機能を有し、インターネットに接続された各種複数のＤＮＳサーバ等を経由しつつ、インターネットを利用してアクセス制限がない他のあらゆるサーバにアクセスすることができる。システムサーバ１１や事業者サーバ１２には、図示はしていないが、キーボードやマウス等の入力装置、ディスプレイやプリンタ等の出力装置がインターフェイスを介して接続されている。
【００３７】
スマートフォン１３ａやタブレット１３ｃは、中央処理部（ＣＰＵまたはＭＰＵ）とメモリ（メインメモリおよびキャッシュメモリ）とを有して独立したオペレーティングシステム（ＯＳ）によって動作する物理的なコンピュータを内蔵し、大容量記憶領域（大容量ハードディスク等）を実装している。スマートフォン１３ａやパソコン１３ｂ、タブレット１３ｃは、（以下、それら携帯通信端末１３ａ〜１３ｃという）は、それらのメモリに格納されたウェブブラウザを利用してインターネットに接続可能であり、インターネットを利用して不特定多数の他のサーバ（物理サーバや仮想サーバ）にアクセスかつログインすることができるとともに、インターネットにおいて各種検索エンジンを利用することができる。
【００３８】
それら携帯通信端末１３ａ〜１３ｃのメモリには、定額乗車料金表示システム１０を実施するためのアプリケーションがインストールされている。利用者とタクシー会社との利用契約の締結時に、システムサーバ１１からそれら携帯通信端末１３ａ〜１３ｃにアプリケーションがインストールされる。それら携帯通信端末１３ａ〜１３ｃは、システムサーバ１１のＵＲＬを使用してサーバ１１にアクセスかつログインすることができるとともに、インターネットを利用して各種情報（文字データや画像データ）をサーバ１１を含む他の複数の外部サーバに提供することができ、インターネットを利用して各種情報をサーバ１１を含む他の複数の外部サーバから受け取ることができる。
【００３９】
携帯通信端末１３ａ〜１３ｃの記憶領域には、それらを特定する携帯通信端末特定情報（識別子）、会員番号（識別子）、会員タクシー会社の識別情報（識別子）が記憶（格納）されている。携帯通信端末特定情報としては、それら携帯通信端末１３ａ〜１３ｃのＩＰアドレスやＭＡＣアドレス、ＵＲＬ、メールアドレス、Ｃｏｏｋｉｅ情報、固体識別番号等を利用することができる他、携帯通信端末１３ａ〜１３ｃがそれらを識別するユニークな識別子を独自に生成し、生成した識別子を携帯通信端末特定情報にすることができる。それら携帯通信端末１３ａ〜１３ｃの記憶領域には、それらを使用する権限を有する利用者の個人情報が記憶（格納）される。個人情報としては、パスワードやＩＤ番号、利用者の氏名または名称（法人名や個人名）、住所または居所、電話番号、ＦＡＸ番号、年齢、性別、メールアドレス等がある。
【００４０】
それら携帯通信端末１３ａ〜１３ｃは、メモリに記憶されたアプリケーションを起動し、アプリケーションにしたがって以下の各手段を実行する。なお、それら携帯通信端末１３ａ〜１３ｃにアプリケーションがインストールされておらず、それら携帯通信端末１３ａ〜１３ｃがシステムサーバ１１との相互通信によって以下の各手段を実行する場合もある。それら携帯通信端末１３ａ〜１３ｃは、そのディスプレイ（表示画面）やタッチパネル（表示画面）に任意の地域の地図を表示する地図表示手段を実施し、地図表示手段によってディスプレイやタッチパネルに表示された地図から出発地を指定し、指定した出発地をシステムサーバ１１に送信する出発地指定手段を実施する。
【００４１】
それら携帯通信端末１３ａ〜１３ｃは、地図表示手段によってディスプレイやタッチパネルに表示された地図から出発地と目的地との間における少なくとも１つの経由地を指定し、指定した経由地をシステムサーバ１１に送信する経由地指定手段を実施し、地図表示手段によってディスプレイやタッチパネルに表示された地図から目的地を指定し、指定した目的地をシステムサーバ１１に送信する目的地指定手段を実施する。
【００４２】
それら携帯通信端末１３ａ〜１３ｃは、システムサーバ１１から送信された定額乗車料金をディスプレイやタッチパネルに表示する定額乗車料金表示手段を実施し、システムサーバ１１から送信された分担定額乗車料金をディスプレイやタッチパネルに表示する分担定額乗車料金表示手段を実施する。それら携帯通信端末１３ａ〜１３ｃは、システムサーバ１１から送信された出発地から目的地までの予測経路を地図表示手段によって表示された地図に表示し、または、経由地を経由しつつ出発地から目的地までの予測経路を地図表示手段によって表示された地図に表示する予測経路表示手段を実施する。
【００４３】
それら携帯通信端末１３ａ〜１３ｃは、システムサーバ１１から送信された出発地から目的地までの距離および出発地から目的地に到着するまでの時間をディスプレイやタッチパネルに表示し、または、経由地を経由しつつ出発地から目的地までの距離および経由地を経由しつつ出発地から目的地に到着するまでの時間をディスプレイやタッチパネルに表示する距離・時間表示手段を実施する。それら携帯通信端末１３ａ〜１３ｃは、事業者サーバ１２にタクシー（業務用自動車）の配車を予約する配車予約手段を実行し、配車手配手段によって配車されたタクシーに乗車した利用者のそのタクシーのサービスに対する評価点（評価）を入力する評価入力手段を実施する。それら携帯通信端末１３ａ〜１３ｃは、定額乗車料金表示システム１０を利用するタクシー会社の評価をディスプレイやタッチパネルに表示する評価表示手段を実施する。
【００４４】
各事業者サーバ１２のメモリには、定額乗車料金表示システム１０を実施するためのアプリケーションがインストールされている。システム管理会社とタクシー会社との利用契約の締結時に、システムサーバ１１から事業者サーバ１２にアプリケーションがインストールされる。各事業者サーバ１２の記憶領域には、タクシー会社と利用契約を結んだ利用者を特定する利用者の識別情報（識別子）、システムサーバ１１のＵＲＬおよび識別情報（識別子）、定額乗車料金表示システム１０を利用する他のタクシー会社のＵＲＬおよび識別情報（識別子）が記憶（格納）、乗車員から提出された日報情報（乗車情報）が記憶（格納）されている。
【００４５】
日報情報（乗車情報）には、乗務員の氏名、乗車車両識別情報（乗車車両識別子）、乗車日時、点呼情報、乗車時間等の他に、乗車時刻（ＡＭ１０：００やＡＭ１１：００、ＰＭ：００、ＰＭ３：００等）における出発地から目的地に到着するまでの到着時間（時、分、秒）、乗車時刻における主要幹線道路の通り抜け時間（時、分、秒）、乗車時刻における鉄道踏切の遮断時間（時、分、秒）、乗車時刻における道路から駐車場までの進入時間（時、分、秒）等の各種の時間情報がある。
【００４６】
それら事業者サーバ１２は、メモリに記憶されたアプリケーションを起動し、アプリケーションにしたがって以下の各手段を実行する。それら事業者サーバ１２は、システムサーバ１１に日報情報を送信する日報情報送信手段を実施する。それら事業者サーバ１２は、システムサーバ１１から送信された定額乗車料金をディスプレイに表示する定額乗車料金表示手段を実施し、システムサーバ１１から送信された分担定額乗車料金をディスプレイに表示する分担定額乗車料金表示手段を実施する。
【００４７】
それら事業者サーバ１２は、利用者が定額乗車料金または分担定額乗車料金での業務用自動車の配車を配車予約手段によって予約したときに、利用者を出発地から目的地まで乗車させる業務用自動車の配車を手配する配車手配手段を実施する。それら事業者サーバ１２は、各利用者が事業者サーバ１２にタクシーの配車を予約したときに、タクシーの配車の予約毎にシステム管理会社（システム管理者）に所定のシステム利用料金を支払うシステム利用料金支払手段を実施し、他のタクシー会社からキャッシュバックされたシェアー金額およびシェアー金額をキャッシュバックしたタクシー会社をディスプレイに表示するシェアー金額表示手段を実施する。
【００４８】
それら事業者サーバ１２は、定額乗車料金表示システム１０を利用してタクシーに乗車した利用者に提供したサービスに対する評価をディスプレイに表示する評価表示手段を実施行し、評価送信手段によってシステムサーバ１１から送信された記号が一定数以下の場合、一定数以下の記号による評価結果（評価）を削除して各利用者による評価に再チャレンジする評価リセット手段を実施する。
【００４９】
システムサーバ１１の記憶領域には、各タクシー会社と利用契約を結んだ利用者を特定する利用者の識別情報（識別子）、会員番号（識別子）、定額乗車料金表示システム１０を利用する各タクシー会社のＵＲＬおよび識別情報（識別子）、各タクシー会社の営業エリア（管轄地域）、各タクシー会社から提供された日報情報（乗車情報）、全国の地図情報が記憶（格納）されている。システムサーバ１１の記憶領域には、日報情報送信手段によってそれら事業者サーバから送信された複数の日報情報が記憶されている。
【００５０】
さらに、システムサーバ１１の記憶領域には、日報情報の時間情報から解析した所定時刻における所定経路の複数の時間計数が記憶（格納）され、さらに、障害者割引や遠距離割引、高齢者割引等の割引条件に対応した割引係数（たとえば、０．９８や０．９５等）、深夜運行や早朝運行、特殊営業車両運行等の割増条件に対応した割増係数（たとえば、１．０２や１．０５等）が記憶（格納）されている。
【００５１】
システムサーバ１１は、それら事業者サーバ１２から送信されたそれら日報情報の時間情報（所定の乗車時刻における出発地から目的地に到着するまでの到着時間（時、分、秒）、所定の乗車時刻における主要幹線道路の通り抜け時間（時、分、秒）、乗車時刻における鉄道踏切の遮断時間（時、分、秒）、所定の乗車時刻における道路から駐車場までの進入時間（時、分、秒）等）を利用し、所定の乗車時刻における所定の任意地点から所定の任意地点に到着するまでの時間に対応する時間計数を解析する。たとえば、午前１０時（乗車時刻）にＡ地点からＢ地点にまで到着する時間Ａが２５分であり、午後１時（乗車時刻）にＡ地点からＢ地点にまで到着する時間Ｂが２８分であった場合、時間Ａの時間係数１とし、時間Ｂの時間係数を１．１２とする。
【００５２】
システムサーバ１１は、地図情報を利用し、携帯通信端末１３ａ〜１３ｃから送信された出発地（出発地位置情報）および目的地（目的地位置情報）を地図情報に当て嵌め、出発地（任意地点）から目的地（任意地点）までの最短経路を検索する経路検索手段を実施する。システムサーバ１１は、地図情報を利用し、出発地（任意地点）から目的地（任意地点）までの最短経路の距離を検索するとともに、検索した最短経路をタクシーで運行した場合の出発地（任意地点）から目的地（任意地点）までの時間（到着時間を含む）を検索する距離・時間検索手段を実施する。携帯通信端末１３ａ〜１３ｃから送信された出発地（出発地位置情報）から出発地を営業エリア（管轄）とするタクシー会社を検索する事業者（タクシー会社）検索手段を実施する。
【００５３】
システムサーバ１１は、出発地（任意地点）から目的地（任意地点）までタクシーを運行した場合（タクシーが最短経路を運行した場合）の定額乗車料金を算出する定額乗車料金算出手段を実施し、定額乗車料金算出手段によって算出した定額乗車料金をそれら携帯通信端末１３ａ〜１３ｃに送信する定額乗車料金送信手段を実施する。システムサーバ１１は、経由地と目的地とにおいて個別に支払う分担定額乗車料金を算出する分担定額乗車料金算出手段を実施し、分担定額乗車料金算出手段によって算出した各分担定額乗車料金をそれら携帯通信端末１３ａ〜１３ｃに送信する分担定額乗車料金送信手段を実施する。
【００５４】
システムサーバ１１は、出発地から目的地までの予測経路をそれら携帯通信端末１３ａ〜１３ｃに送信し、または、経由地を経由しつつ出発地から目的地までの予測経路を携帯通信端末１３ａ〜１３ｃに送信する予測経路送信手段を実施する。システムサーバ１１は、出発地から目的地までの距離および出発地から目的地に到着するまでの時間をそれら携帯通信端末１３ａ〜１３ｃに送信し、または、経由地を経由しつつ出発地から目的地までの距離および経由地を経由しつつ出発地から目的地に到着するまでの時間を携帯通信端末１３ａ〜１３ｃに送信する距離・時間送信手段を実施する。
【００５５】
システムサーバ１１は、携帯通信端末１３ａ〜１３ｃから入力された評価点（評価）を所定数の記号に変換しつつ、各携帯通信端末１３ａ〜１３ｃおよび事業者サーバ１２に所定数の記号を送信する評価送信手段を実施する。システムサーバ１１は、各利用者が会員になった会員タクシー会社（会員事業者）以外の非会員タクシー会社（非会員事業者）に配車予約手段によって業務用自動車の配車を予約したときに、会員タクシー会社に所定のシェアー金額をキャッシュバックするキャッシュバック手段を実施する。
【００５６】
定額乗車料金算出手段では、出発地から目的地までの最短距離（最短経路）でタクシーを運行した場合の走行距離に応じた距離料金を算出し、算出した距離料金に出発地から目的地に達するまでの時間に応じた時間係数を乗じて定額乗車料金を算出する。障害者割引や遠距離割引、高齢者割引等の割引条件がある場合、それらの割引条件に対応した割引係数を距離料金に乗じ、割引係数を乗じて算出された距離料金に時間係数を乗じて定額乗車料金を算出する。深夜運行や早朝運行、特殊営業車両運行等の割増条件がある場合、それらの割増条件に対応した割増係数を距離料金に乗じ、割増係数を乗じて算出された距離料金に時間係数を乗じて定額乗車料金を算出する。
【００５７】
分担定額乗車料金算出手段では、経由地を経由しつつ出発地から目的地までの最短距離（最短経路）でタクシーを運行した場合の全走行距離に応じた総距離料金を算出し、算出した総距離料金に経由地を経由しつつ出発地から目的地に達するまでの時間に応じた時間係数を乗じて乗車料金総額を算出し、出発地から経由地と目的地とにタクシーを最短距離（最短経路）で直接運行（直行）した場合の走行距離に応じた個別距離料金を算出し、算出した個別距離料金に出発地から経由地と目的地とに個別に達するまでの時間に応じた時間係数を乗じて個別乗車料金を算出するとともに、すべての個別乗車料金を加算した個別乗車料金総額で各個別乗車料金を除して経由地と目的地とにおける個別料金率を算出し、個別乗車料金総額に個別料金率を乗じて経由地と目的地とにおける各分担定額乗車料金を算出する。
【００５８】
障害者割引や遠距離割引、高齢者割引等の割引条件がある場合、それらの割引条件に対応した割引係数を総距離料金に乗じ、割引係数を乗じて算出された総距離料金に時間係数を乗じて乗車料金総額を算出し、割引係数を個別距離料金に乗じ、割引係数を乗じて算出された個別距離料金に時間係数を乗じて個別乗車料金を算出する。深夜運行や早朝運行、特殊営業車両運行等の割増条件がある場合、それらの割増条件に対応した割増係数を総距離料金に乗じ、割増係数を乗じて算出された総距離料金に時間係数を乗じて乗車料金総額を算出し、割増係数を個別距離料金に乗じ、割増係数を乗じて算出された個別距離料金に時間係数を乗じて個別乗車料金を算出する。
【００５９】
図２は、スマートフォン１３ａのタッチパネル１４に表示されたメニュー画面（初期画面）の一例を示す図であり、図３は、スマートフォン１３ａのタッチパネル１４に表示された出発地・目的地入力画面の一例を示す図である。図４は、スマートフォン１３ａのタッチパネル１４に表示された地図表示選択画面の一例を示す図であり、図５は、スマートフォン１３ａのタッチパネル１４に表示された地図表示画面（経由地なし）の一例を示す図である。図６は、スマートフォン１３ａのタッチパネル１４に表示された地図表示画面（経由地なし）の他の一例を示す図である。図２〜図６（図７以下の図を含む）は、スマートフォン１３ａのみを図示して定額乗車料金表示システム１０を説明する。
【００６０】
利用者がスマートフォン１３ａを起動させると、図示はしていないが、他のアイコンとともに定額乗車料金表示システムを示すタクシーアイコンがスマートフォン１３ａのタッチパネル１４に表示される。利用者がタクシーアイコンをタップすると、スマートフォン１３ａにおいてアプリケーションが起動しつつ、スマートフォン１３ａがインターネットに接続されてシステムサーバ１１にログインする。
【００６１】
スマートフォン１３ａがシステムサーバ１１にログインすると、スマートフォン１３ａのタッチパネル１４には、図２に示すメニュー画面表示される。図２のメニュー画面には、出発地・目的地入力ボタン２ａ、出発地・経由地・目的地入力ボタン２ｂ、評価入力ボタン２ｃ、評価表示ボタン２ｄ、キャンセルボタン２ｅが表示される。キャンセルボタン２ｅをタップすると、アプリケーションが終了し、または、スマートフォン１３ａがサーバ１１からログアウトする（以下の図のキャンセルボタンにおいて同じ）。
【００６２】
利用者がタクシーに乗車予定であり、経由地がなく、出発地から目的地までの定額乗車料金を検索する場合、図２のメニュー画面において出発地・目的地入力ボタン２ａをタップする。利用者が出発地・目的地入力ボタン２ａをタップすると、スマートフォン１３ａのタッチパネル１４には、図３に示す出発地・目的地入力画面が表示される。図３の出発地・目的地入力画面には、地図表示ボタン３ａ、出発地・目的地住所入力ボタン３ｂ、キャンセルボタン３ｃが表示される。欄外の戻るボタンをタップすると、１つ前の画面がタッチパネル１４に表示される（以下の図の戻るボタンにおいて同じ）。
【００６３】
利用者が地図表示を選択し、地図表示ボタン３ａをタップすると、スマートフォン１３ａのタッチパネル１４には、図４に示す地図表示選択画面が表示される。地図表示選択画面には、現在位置での地図表示ボタン４ａ、入力住所での地図表示ボタン４ｂが表示される。現在位置で地図表示をする場合、利用者は現在位置での地図表示ボタン４ａをタップする。入力住所で地図表示をする場合、利用者は入力住所での地図表示ボタン４ｂをタップする。利用者が現在位置での地図表示ボタン４ａをタップし、または、住所入力エリアに住所を入力した後、入力住所での地図表示ボタン４ｂをタップすると、図５に示すように、スマートフォン１３ａは、ＧＰＳ機能位置情報を利用して利用者が位置する現在位置周辺の地図（平面地図）をタッチパネル１４に表示し、または、ＧＰＳ機能位置情報を利用して入力住所周辺の地図（平面地図）をタッチパネル１４に表示する（地図表示手段）。
【００６４】
図５の地図表示画面には、利用者の現在位置（出発地）を示すフラグ１５が表示された地図５ａ、または、入力住所位置（出発地）を示すフラグ１５が表示された地図５ａが表示され、目的地住所入力エリア５ｂ、出発地の住所が表示された出発地住所表示エリア５ｃ、目的地住所表示エリア５ｄ、乗車日時入力エリア５ｅ、リセットボタン５ｆ、キャンセルボタン５ｇが表示される。フラグ１５の位置が指定された出発地として認識される（出発地指定手段）。リセットボタン５ｆをタップすると、フラグ１５が削除され、出発地住所表示エリア５ｃに表示された住所（データ）が削除され、図５の地図表示画面の地図５ａにおいて出発地をタップ（地図５ａをスワイプ、ピンチイン、ピンチアウトすることで地図５ａをスクロール、縮小、拡大させて出発地を表示させた後、出発地をタップ（ピンポイント指定））し、出発地を再度指定する（出発地指定手段）（図１０の地図表示画面の地図も同様）。出発地を再度指定すると、その出発地の住所が出発地住所表示エリア５ｃに表示される。
【００６５】
利用者は、図５の地図表示画面の地図５ａにおいて目的地をタップ（地図５ａをスワイプ、ピンチイン、ピンチアウトすることで地図５ａをスクロール、縮小、拡大させて目的地を表示させた後、目的地をタップ（ピンポイント指定））し、または、目的地住所入力エリア５ｂに目的地住所を入力するとともに（目的地指定手段）、乗車日時入力エリア５ｅに乗車日時（今すぐに（現時点）タクシーを予約する場合は現日時、将来タクシーを予約する場合は先の日時）を入力する。目的地をタップまたは目的地住所を入力し、乗車日時を入力すると、スマートフォン１３ａのタッチパネル１４には、図６に示す地図表示画面が表示される。図６の地図表示画面には、出発地の位置を示すフラグ１５と目的地の位置を示すフラグ１６とが表示された地図６ａが表示され、出発地の住所が表示された出発地住所表示エリア６ｂ、目的地の住所が表示された目的地住所表示エリア６ｃ、乗車日時が表示された乗車日時表示エリア６ｄ、ＯＫボタン６ｅ、リセットボタン６ｆ、キャンセルボタン６ｇが表示される。
【００６６】
リセットボタン６ｆをタップすると、各フラグ１５，１６が削除され、出発地住所表示エリア６ｂに表示された住所（データ）および目的地住所表示エリア６ｃに表示された住所（データ）が削除されるとともに、乗車日時表示エリア６ｄに表示された乗車日時が削除され、図６の地図表示画面の地図６ａにおいて出発地および目的地をタップ（地図６ａをスワイプ、ピンチイン、ピンチアウトすることで地図６ａをスクロール、縮小、拡大させて出発地および目的地を表示させた後、出発地および目的地をタップ（ピンポイント指定））し、出発地および目的地を再度指定するとともに（出発地指定手段、目的地指定手段）、乗車日時を入力する。出発地および目的地、乗車日時を再度指定すると、その出発地の住所が出発地住所表示エリア６ｂに表示され、その目的地の住所が目的地住所表示エリア６ｃに表示され、乗車日時が乗車日時表示エリア６ｄに表示される。
【００６７】
利用者が出発地および目的地の住所を入力する場合、図３の出発地・目的地入力画面において出発地・目的地住所入力ボタン３ｂをタップする。出発地・目的地住所入力ボタン３ｂをタップすると、図示はしていないが、出発地住所入力エリア、目的地住所入力エリア、乗車日時入力エリア、ＯＫボタン、リセットボタンが表示される。利用者は、出発地住所入力エリアに出発地住所を入力し、目的地住所入力エリアに目的地住所を入力した後、ＯＫボタンをタップする。ＯＫボタンをタップすると、図６の地図表示画面がスマートフォン１３ａのタッチパネル１４に表示される（出発地指定手段、目的地指定手段）。リセットボタン６ｆをタップすると、出発地住所入力エリアや目的地住所入力エリアに入力された住所（データ）がクリア（削除）され、乗車日時入力エリアに入力された乗車日時がクリア（削除）され、それらエリアへ住所や乗車日時を再度入力する。なお、出発地・目的地の住所入力においてキーワードや目印（建物や線路等）を入力することによって出発地や目的地を検索することもできる。
【００６８】
図７は、スマートフォン１３ａのタッチパネル１４に表示された定額乗車料金表示・配車予約画面の一例を示す図であり、図８は、事業者サーバ１２に接続されたディスプレイ１７に表示された配車予約受付画面の一例を示す図である。なお、利用者が会員になっている会員タクシー会社にタクシーの予約をするものとする。利用者は、出発地および目的地を確認した後、出発地や目的地に変更がない場合、図６の地図表示画面においてＯＫボタン６ｅをタップする。ＯＫボタン６ｅをタップすると、図示はしていないが、確認画面がスマートフォン１３ａのタッチパネル１４に表示される。確認画面には、割引条件入力エリア、車種選定エリア、ＯＫボタン、再検索ボタン、キャンセルボタンが表示される。再検索ボタンをタップすると、図２のメニュー画面がスマートフォン１３ａのタッチパネル１４に表示される。
【００６９】
割引条件（障害者割引や遠距離割引、高齢者割引等）がある場合、割引条件入力エリアに割引条件を入力し、または、割引条件入力エリアのプルダウンリストから割引条件を選択する。乗車希望車種がある場合、車種選定エリアのプルダウンリストから希望車種を選択する。通常の車両を希望する場合は、車種選定エリアをブランクにする。それらを入力または選択した後、ＯＫボタンをタップする。確認画面のＯＫボタンをタップすると、スマートフォン１３ａは、出発地住所（位置情報）および目的地住所（位置情報）、割引条件、希望車種、乗車日時、検索日時を記憶領域に記憶（格納）するとともに、出発地住所（出発地位置情報）および目的地住所（目的地位置情報）、割引条件、希望車種、乗車日時、携帯通信端末特定情報、会員番号、会員タクシー会社識別情報をシステムサーバ１１に送信する。
【００７０】
スマートフォン１３ａから出発地住所（出発地位置情報）および目的地住所（目的地位置情報）、割引条件、希望車種、乗車日時、携帯通信端末特定情報、会員番号、会員タクシー会社識別情報を受信したシステムサーバ１１は、地図情報を利用し、出発地から目的地までの最短距離の予測経路（ルート）を検索し（経路検索手段）、出発地から目的地までの検索した予測経路の距離、出発地から目的地までの検索した予測経路の走行時間（到着時間を含む）を検索する（経路検索手段、距離・時間検索手段）。
【００７１】
次に、検索した予測経路をタクシーが運行した場合の走行距離に応じた距離料金を算出し、算出した距離料金に出発地から目的地に達するまでの時間（乗車日時の時間）に応じた時間係数を乗じて定額乗車料金を算出する（定額乗車料金算出手段）。割引条件がある場合は、算出した距離料金に割引計数および時間計数を乗じて定額乗車料金を算出し、割増条件（乗車時間による深夜割増や早朝割増、希望車種による車両割増）がある場合は、算出した距離料金に割増計数および時間計数を乗じて定額乗車料金を算出し、割引条件および割増条件がある場合は、算出した距離料金に割引計数、割増計数、時間計数を乗じて定額乗車料金を算出する（定額乗車料金算出手段）。さらに、出発地住所（出発地位置情報）から出発地を営業エリア（管轄）とするタクシー会社を検索する（事業者（タクシー会社）検索手段）。
【００７２】
定額乗車料金表示システム１０は、出発地から目的地までの距離に応じた距離料金に自然渋滞や時間渋滞等の時間的な条件を加える時間係数を乗じることで、自然渋滞や時間渋滞等を考慮した出発地から目的地までの正確かつ最低限の定額乗車料金を算出することができる。定額乗車料金表示システム１０は、障害者割引や遠距離割引、高齢者割引等の割引条件がある場合、その割引条件に対応した割引係数を距離料金に乗じることで、割引条件を加えた定額乗車料金を算出することができ、割引条件を有する利用者に正確な定額乗車料金を提示することができる。定額乗車料金表示システム１０は、深夜運行や早朝運行、特殊営業車両運行（車両割増）等の割増条件がある場合、その割増条件に対応した割増係数を距離料金に乗じることで、割増条件を加えた定額乗車料金を算出することができ、割増条件での運行時の利用者に正確な定額乗車料金を提示することができる。
【００７３】
システムサーバ１１は、定額乗車料金を算出した後、出発地住所および目的地住所、出発地から目的地までの予測経路（ルート）、出発地から目的地までの予測経路の距離、出発地から目的地までの予測経路の走行時間（到着時間を含む）、定額乗車料金、割引条件、割増条件、希望車種、乗車日時、検索したタクシー会社名（タクシー会社識別情報を含む）、携帯通信端末特定情報、会員番号、会員タクシー会社識別情報、検索日時を携帯通信端末特定情報に関連付けた状態で記憶領域に記憶（格納）するとともに、予測経路、予測経路の距離、予測経路の走行時間（到着時間を含む）、定額乗車料金、乗車日時、検索したタクシー会社名をスマートフォン１３ａに送信する（予測経路送信手段、距離・時間送信手段、定額乗車料金送信手段）。
【００７４】
スマートフォン１３ａがシステムサーバ１１から予測経路、予測経路の距離、予測経路の走行時間（到着時間を含む）、定額乗車料金、乗車日時、検索したタクシー会社名を受信すると、スマートフォン１３ａのタッチパネル１４には、図７に示す定額乗車料金表示・配車予約画面が表示される。図７の定額乗車料金表示・配車予約画面には、出発地から目的地までの予測経路１８を表示した地図７ａが表示され（予測経路表示手段）、定額乗車料金表示エリア７ｂ、出発地住所表示エリア７ｃ、目的地住所表示エリア７ｄ、距離表示エリア７ｅ、走行時間・到着時間表示エリア７ｆ、タクシー会社表示エリア７ｇ、乗車日時表示エリア７ｈ、配車予約ボタン７ｉ、キャンセルボタン７ｊが表示される。
【００７５】
定額乗車料金表示エリア７ｂには、出発地から目的地までの予測経路１８をタクシーが運行した場合の定額乗車料金が表示され（定額乗車料金表示手段）、出発地住所表示エリア７ｃには、出発地の住所が表示されるとともに、目的地住所表示エリア７ｄには、目的地の住所が表示される。距離表示エリア７ｅには、出発地から目的地までの予測経路１８の距離が表示され、走行時間・到着時間表示エリア７ｆには、出発地から目的地までの予測経路１８の走行時間および到着時間が表示される（距離・時間表示手段）。タクシー会社表示エリア７ｇには、出発地を営業エリア（管轄）とするタクシー会社名が表示される。乗車日時表示エリア７ｈには、乗車希望日時が表示される。
【００７６】
定額乗車料金表示システム１０は、利用者が所持するスマートフォン１３ａ（携帯通信端末）に表示された地図に出発地から目的地までの予測経路１８が表示され、出発地から目的地までの距離や出発地から目的地に到着するまでの時間が表示されることで、利用者が定額乗車料金とともに予測経路１８や距離、時間を知ることができ、各利用者が定額乗車料金とともに予測経路１８や距離、時間を考慮してタクシーへの乗車の有無を決めることができる。
【００７７】
利用者がスマートフォン１３ａのタッチパネル１４に表示された各項目（データ）を視認し、それらの条件でタクシーへの乗車を希望する場合は、配車予約ボタン７ｉをタップする。配車予約ボタン７ｉをタップすると、図示はしていないが、スマートフォン１３ａのタッチパネル１５に配車予約確認画面が表示される。配車予約確認画面には、図７と同様の各表示エリアが表示され、配車予約確定ボタンが表示されるとともに、キャンセルボタンが表示される。利用者が配車予約を確定される場合、配車予約確定ボタンをタップする（配車予約手段）。
【００７８】
配車予約確定ボタンをタップすると、予約者名、定額乗車料金、出発地住所、目的地住所、出発地から目的地までの走行距離、乗車日時、割引条件、割増条件、希望車種、携帯通信端末特定情報、会員番号、会員タクシー会社識別情報がシステムサーバ１１を経由して事業者サーバ１２に送信され、事業者サーバ１２に接続されたディスプレイ１７に図８に示す配車予約受付画面が表示される。
【００７９】
図８の配車予約受付画面には、出発地（フラグ１５）から目的地（フラグ１６）までの予測経路１８を表示した地図８ａ、予約者名を表示した予約者名表示エリア８ｂ、定額乗車料金を表示した定額乗車料金表示エリア８ｃ、出発地住所を表示した出発地住所表示エリア８ｄ、目的地住所を表示した目的地住所表示エリア８ｅ、走行距離を表示した距離表示エリア８ｆ、乗車日時を表示した乗車日時表示エリア８ｇ、現地（出発地）到着時間を表示した現地到着時間表示エリア８ｈ、割引条件を表示した割引条件表示エリア８ｉ、割増条件を表示した割増条件表示エリア８ｊ、希望車種を表示した希望車種表示エリア８ｋ、乗務員情報を表示した乗務員情報表示エリア８ｌ、予約受付ボタン８ｍが表示される（定額乗車料金表示手段）。乗務員情報表示エリア８ｌには、乗務員氏名、乗務員番号、乗車車両番号、点呼結果、乗務員写真等の各種の情報が表示される。
【００８０】
図８の配車予約受付画面の予約受付ボタン８ｍをクリックすると、予約受付が完了する。予約受付が完了すると、事業者サーバ１２（タクシー会社）は、システム管理会社（システム管理者）に所定のシステム利用料金を支払う（システム利用料金支払手段）。定額乗車料金表示システム１０は、タクシーの配車の予約毎にタクシー会社（事業者）からシステム管理者にシステム利用料金が支払われることで、タクシーを運行する各タクシー会社のみならず、システム管理者も利益を上げることができ、その利益によって定額乗車料金表示システム１０の利用者へのサービス向上を図ることができる。
【００８１】
事業者サーバ１２は、予約者名、定額乗車料金、出発地住所（出発地位置情報）、目的地住所（目的地位置情報）、出発地から目的地までの走行距離、乗車日時、割引条件、割増条件、希望車種、乗務員情報、システム利用料金を受付日時、携帯通信端末特定情報、会員番号、会員タクシー会社識別情報に関連付けた状態での記憶領域に記憶（格納）するとともに、それらの各情報をシステムサーバ１１に送信する。システムサーバ１１は、予約者名、定額乗車料金、出発地住所（出発地位置情報）、目的地住所（目的地位置情報）、出発地から目的地までの走行距離、乗車日時、割引条件、割増条件、希望車種、乗務員情報、システム利用料金を受付日時、携帯通信端末特定情報、会員番号、会員タクシー会社識別情報に関連付けた状態での記憶領域に記憶（格納）する。
【００８２】
タクシー会社は、利用者が今すぐにタクシーを利用する場合、タクシーを手配し、タクシーを出発地点に向かわせる（配車手配手段）。また、利用者が将来タクシーを利用する場合、予約日の予約時間にタクシーを出発地に向かわせるように手配をする（配車手配手段）。タクシーが出発地に到着し、そのタクシーに乗車した利用者は、所持するキャッシュカードやクレジットカードを利用して定額乗車料金を支払い、または、キャッシュで定額乗車料金を支払う。利用者を乗せたタクシーは、出発地から予測経路を走行して目的地に向かい、目的地に到着した後、利用者を降車させる。
【００８３】
定額乗車料金表示システム１０は、利用者が所持するスマートフォン１３ａ（携帯通信端末）に表示された地図から出発地と目的地とを指定した場合、システムサーバ１１が出発地から目的地までの定額乗車料金を算出しつつその定額乗車料金をスマートフォン１３ａに送信し、スマートフォン１３ａが定額乗車料金を表示するから、タクシー（業務用自動車）を利用する利用者が所持するスマートフォン１３ａに出発地から目的地までの定額乗車料金を事前に表示することができ、各利用者がその定額乗車料金を考慮してタクシーへの乗車の有無を決めることができる。
【００８４】
定額乗車料金表示システム１０は、利用者がその定額乗車料金を考慮してタクシーへの乗車を決めた場合、スマートフォン１３ａを利用して利用者がその定額乗車料金でのタクシーの配車を予約し、事業者サーバ１２が利用者を出発地から目的地まで乗車させるタクシーの配車を手配するから、利用者がその定額乗車料金でのタクシーへの乗車を決めたときにスマートフォン１３ａからタクシーの配車を直ちに予約することができ、タクシーを出発地に速やかに配車することができる。
【００８５】
定額乗車料金表示システム１０は、出発地から目的地までの定額乗車料金が利用者に事前に示されるから、タクシーへの乗車前に乗車料金が明確になり、乗車料金に対する利用者の不安を取り除くことができ、利用者が安心してタクシーに乗車することができる。定額乗車料金表示システム１０は、スマートフォン１３ａのタッチパネル１４に表示された地図をタップして出発地と目的地とを指定することができ、または、タッチパネル１４の地図をスワイプ、ピンチイン、ピンチアウト等しつつ地図をタップして出発地と目的地とを指定することができるから、簡単に出発地や目的地を指定（設定）することができ、出発地や目的地の住所やキーワード、目印等を入力する手間を省くことができる。
【００８６】
図９は、スマートフォン１３ａのタッチパネル１４に表示された出発地・経由地・目的地入力画面の一例を示す図であり、図１０は、スマートフォン１３ａのタッチパネル１４に表示された地図表示画面（経由地あり）の一例を示す図である。図１１は、スマートフォン１３ａのタッチパネル１４に表示された地図表示画面（経由地あり）の他の一例を示す図である。
【００８７】
複数の利用者（相乗り者）がタクシーに乗車予定であり、経由地があり、各経由地および目的地において各人が分担する分担定額乗車料金を検索する場合、図２のメニュー画面において出発地・経由地・目的地入力ボタン２ｂをタップする。利用者が出発地・経由地・目的地入力ボタン２ｂをタップすると、スマートフォン１３ａのタッチパネル１４には、図９に示す出発地・経由地・目的地入力画面が表示される。図９の出発地・経由地・目的地入力画面には、地図表示ボタン９ａ、出発地・経由地・目的地住所入力ボタン９ｂ、キャンセルボタン９ｃが表示される。
【００８８】
利用者が地図表示を選択し、地図表示ボタン９ａをタップすると、スマートフォン１３ａのタッチパネル１４には、地図表示選択画面が表示される（図４参照）。地図表示選択画面には、現在位置での地図表示ボタン４ａ、入力住所での地図表示ボタン４ｂが表示される。現在位置で地図表示をする場合、利用者は現在位置での地図表示ボタン４ａをタップする。入力住所で地図表示をする場合、利用者は入力住所での地図表示ボタン４ｂをタップする。利用者が現在位置での地図表示ボタン４ａをタップし、または、住所入力エリアに住所を入力した後、入力住所での地図表示ボタン４ｂをタップすると、図１０に示すように、スマートフォン１３ａは、ＧＰＳ機能位置情報を利用して利用者が位置する現在位置周辺の地図（平面地図）をタッチパネル１４に表示し、または、ＧＰＳ機能位置情報を利用して入力住所周辺の地図（平面地図）をタッチパネル１４に表示する（地図表示手段）。
【００８９】
図１０の地図表示画面には、利用者の現在位置（出発地）を示すフラグ１５が表示された地図１０ａ、または、入力住所位置（出発地）を示すフラグ１５が表示された地図１０ａが表示され、目的地住所入力エリア１０ｂ、経由地住所入力エリア１０ｃ、出発地の住所が表示された出発地住所表示エリア１０ｄ、経由地住所表示エリア１０ｅ、目的地住所表示エリア１０ｆ、乗車日時入力エリア１０ｇ、リセットボタン１０ｈ、キャンセルボタン１０ｉが表示される。フラグ１５の位置が指定された出発地として認識される（出発地指定手段）。
【００９０】
利用者は、図１０の地図表示画面の地図１０ａにおいて経由地をタップ（地図１０ａをスワイプ、ピンチイン、ピンチアウトすることで地図１０ａをスクロール、縮小、拡大させて経由地を表示させた後、経由地をタップ（ピンポイント指定））し、または、経由地住所入力エリア１０ｃに経由地住所を入力する（経由地指定手段）。さらに、目的地をタップ（地図１０ａをスワイプ、ピンチイン、ピンチアウトすることで地図１０ａをスクロール、縮小、拡大させて目的地を表示させた後、目的地をタップ（ピンポイント指定）し、または、目的地住所入力エリア１０ｂに目的地住所を入力する（目的地指定手段）。次に、乗車日時入力エリア１０ｇに乗車日時（今すぐに（現時点）タクシーを予約する場合は現日時、将来タクシーを予約する場合は先の日時）を入力する。
【００９１】
経由地をタップまたは経由地住所を入力し、目的地をタップまたは目的地住所を入力し、乗車日時を入力すると、スマートフォン１３ａのタッチパネル１４には、図１１に示す地図表示画面が表示される。図１１の地図表示画面には、出発地の位置を示すフラグ１５と各経由地の位置を示すフラグ１９ａ〜１９ｃと目的の位置を示すフラグ１６とが表示された地図１１ａが表示され、出発地の住所が表示された出発地住所表示エリア１１ｂ、経由地の住所が表示された経由地住所表示エリア１１ｃ〜１１ｅ、目的地の住所が表示された目的地住所表示エリア１１ｆ、乗車日時が表示された乗車日時表示エリア１１ｇ、ＯＫボタン１１ｈ、リセットボタン１１ｉ、キャンセルボタン１１ｊが表示される。図１１の地図表示画面では３箇所の経由地（フラグ１９ａ〜１９ｃ）を図示しているが、経由地はタクシーが乗用車（普通車）の場合は１箇所〜３箇所、タクシーがワゴン車（大型車）の場合は１箇所〜５箇所まで指定することができる。
【００９２】
リセットボタン１１ｉをタップすると、各フラグ１５，１６，１９ａ〜１９ｃが削除され、出発地住所表示エリア１１ｂに表示された住所（データ）、経由地住所表示エリア１１ｃ〜１１ｅに表示された住所（データ）、目的地住所表示エリア１１ｆに表示された住所（データ）が削除されるとともに、乗車日時１１ｇが削除され、図１１の地図表示画面の地図１１ａにおいて出発地、経由地、目的地をタップ（地図１１ａをスワイプ、ピンチイン、ピンチアウトすることで地図１１ａをスクロール、縮小、拡大させて出発地、経由地、目的地を表示させた後、出発地、経由地、目的地をタップ（ピンポイント指定））し、出発地、経由地、目的地を再度指定するとともに（出発地指定手段、経由地指定手段、目的地指定手段）、乗車日時を入力する。出発地、経由地、目的地、乗車日時を再度指定すると、その出発地の住所が出発地住所表示エリア１１ｂに表示され、その経由地の住所が経由地住所表示エリア１１ｃ〜１１ｅに表示され、その目的地の住所が目的地住所表示エリア１１ｆに表示され、乗車日時が乗車日時表示エリア１１ｇに表示される。
【００９３】
利用者が出発地や経由地、目的地の住所を入力する場合、図９の出発地・経由地・目的地入力画面において出発地・経由地・目的地住所入力ボタン９ｂをタップする。出発地・経由地・目的地住所入力ボタン９ｂをタップすると、図示はしていないが、出発地住所入力エリア、経由地住所入力エリア、目的地住所入力エリア、乗車日時入力エリア、ＯＫボタン、リセットボタンが表示される。利用者は、出発地住所入力エリアに出発地住所を入力し、経由地住所入力エリアに経由地住所を入力し、目的地住所入力エリアに目的地住所を入力するとともに、乗車日時入力エリアに乗車日時を入力した後、ＯＫボタンをタップする。ＯＫボタンをタップすると、図１１の地図表示画面がスマートフォン１３ａのタッチパネル１４に表示される（出発地指定手段、経由地指定手段、目的地指定手段）。リセットボタンをタップすると、出発地住所入力エリアや経由地住所入力エリア、目的地住所入力エリア、乗車日時入力エリアに入力された住所（データ）がクリア（削除）され、それらエリアへ住所を再度入力する。なお、出発地・経由地・目的地の住所入力においてキーワードや目印（建物や線路等）を入力することによって出発地や経由地、目的地を検索することもできる。
【００９４】
図１２は、分担定額乗車料金の算出を説明する図であり、図１３は、スマートフォン１３ａのタッチパネル１４に表示された分担定額乗車料金表示・配車予約画面の一例を示す図である。図１４は、事業者サーバ１２に接続されたディスプレイ１７に表示された配車予約受付画面の他の一例を示す図である。なお、利用者が会員になっている会員タクシー会社にタクシーの予約をするものとする。利用者は、出発地、経由地、目的地を確認した後、出発地や経由地、目的地に変更がない場合、図１１の地図表示画面においてＯＫボタン１１ｈをタップする。ＯＫボタン１１ｈをタップすると、図示はしていないが、確認画面がスマートフォン１３ａのタッチパネル１４に表示される。確認画面には、割引条件入力エリア、車種選定エリア、ＯＫボタン、再検索ボタン、キャンセルボタンが表示される。再検索ボタンをタップすると、図２のメニュー画面がスマートフォン１３ａのタッチパネル１４に表示される。
【００９５】
割引条件（障害者割引や遠距離割引、高齢者割引等）がある場合、割引条件入力エリアに割引条件を入力し、または、割引条件入力エリアのプルダウンリストから割引条件を選択する。乗車希望車種がある場合、車種選定エリアのプルダウンリストから希望車種を選択する。通常の車両を希望する場合は、車種選定エリアをブランクにする。それらを入力または選択した後、ＯＫボタンをタップする。確認画面のＯＫボタンをタップすると、スマートフォン１３ａは、出発地住所（位置情報）、経由地住所（位置情報）、目的地住所（位置情報）、割引条件、希望車種、乗車日時、検索日時を記憶領域に記憶（格納）するとともに、出発地住所（出発地位置情報）、経由地住所（経由地位置情報）、目的地住所（目的地位置情報）、割引条件、希望車種、乗車日時、携帯通信端末特定情報、会員番号、会員タクシー会社識別情報をシステムサーバ１１に送信する。
【００９６】
スマートフォン１３ａから出発地住所（出発地位置情報）、経由地住所（経由地位置情報）、目的地住所（目的地位置情報）、割引条件、希望車種、乗車日時、携帯通信端末特定情報、会員番号、会員タクシー会社識別情報を受信したシステムサーバ１１は、地図情報を利用し、経由地を経由しつつ出発地から目的地までの最短距離の予測経路（ルート）を検索し（経路検索手段）、経由地を経由した出発地から目的地までの検索した予測経路の距離、経由地を経由した出発地から目的地までの検索した予測経路の走行時間（到着時間を含む）を検索する（経路検索手段、距離・時間検索手段）。
【００９７】
次に、検索した予測経路をタクシーが運行した場合の走行距離に応じた距離料金を算出し、算出した距離料金に出発地から目的地に達するまでの時間（乗車日時の時間）に応じた時間係数を乗じて定額乗車料金を算出する（定額乗車料金算出手段）。割引条件がある場合は、算出した距離料金に割引計数および時間計数を乗じて定額乗車料金を算出し、割増条件（乗車時間による深夜割増や早朝割増、希望車種による車両割増）がある場合は、算出した距離料金に割増計数および時間計数を乗じて定額乗車料金を算出し、割引条件および割増条件がある場合は、算出した距離料金に割引計数、割増計数、時間計数を乗じて定額乗車料金を算出する（定額乗車料金算出手段）。さらに、出発地住所（出発地位置情報）から出発地を営業エリア（管轄）とするタクシー会社を検索する（事業者（タクシー会社）検索手段）。
【００９８】
次に、システムサーバ１１は、各経由地と目的地とにおいて利用者（相乗り者）が個別に支払う分担定額乗車料金を算出する（分担定額乗車料金算出手段）。分担定額乗車料金算出手段では、各経由地を経由しつつ出発地から目的地までの最短距離でタクシーを運行した場合の全走行距離に応じた総距離料金を算出し、算出した総距離料金に経由地を経由しつつ出発地から目的地に達するまでの時間に応じた時間係数を乗じて乗車料金総額を算出し、出発地から各経由地と目的地とにタクシーを最短距離で直接運行した場合の走行距離に応じた個別距離料金を算出し、算出した個別距離料金に出発地から各経由地と目的地とに個別に達するまでの時間に応じた時間係数を乗じて個別乗車料金を算出するとともに、すべての個別乗車料金を加算した個別乗車料金総額で各個別乗車料金を除して各経由地と目的地とにおける個別料金率を算出し、乗車料金総額に個別料金率を乗じて各経由地と目的地とにおける各分担定額乗車料金を算出する。
【００９９】
割引条件がある場合は、算出した総距離料金に割引計数および時間計数を乗じて乗車料金総額を算出するとともに、算出した個別距離料金に割引計数および時間計数を乗じて個別乗車料金を算出する。割増条件（乗車時間による深夜割増や早朝割増、希望車種による車両割増）がある場合は、算出した総距離料金に割増計数および時間計数を乗じて乗車料金総額を算出し、算出した個別距離料金に割増計数および時間計数を乗じて個別乗車料金を算出する。割引条件および割増条件がある場合は、算出した総距離料金に割引計数、割増計数、時間計数を乗じて乗車料金総額を算出し、算出した個別距離料金に割引計数、割増計数、時間計数を乗じて個別乗車料金を算出する。さらに、出発地住所（出発地位置情報）から出発地を営業エリア（管轄）とするタクシー会社を検索する（事業者（タクシー会社）検索手段）。
【０１００】
具体的には、図１２に示すように、各経由地（経由地１〜経由地３）を経由しつつ出発地から目的地までの最短距離でタクシーを運行した場合の全走行距離に応じた総距離料金に時間係数（割引条件がある場合は割引係数、割増条件がある場合は割増係数）を乗じた乗車料金総額が５２５０円、出発地２０から経由地１にタクシーを直接運行した場合の個別距離料金に時間係数（割引条件がある場合は割引係数、割増条件がある場合は割増係数）を乗じた経由地１の個別乗車料金が１０００円、出発地から経由地２にタクシーを直接運行した場合の個別距離料金に時間係数（割引条件がある場合は割引係数、割増条件がある場合は割増係数）を乗じた経由地２の個別乗車料金が２５００円、出発地から経由地３にタクシーを直接運行した場合の個別距離料金に時間係数（割引条件がある場合は割引係数、割増条件がある場合は割増係数）を乗じた経由地３の個別乗車料金が５５００円、出発地から目的地にタクシーを直接運行した場合の個別距離料金に時間係数（割引条件がある場合は割引係数、割増条件がある場合は割増係数）を乗じた目的地の個別乗車料金が５００円であったとする。
【０１０１】
経由地１の個別乗車料金（１０００円）と経由地２の個別乗車料金（２５００円）と経由地３の個別乗車料金（５５００円）と目的地の個別乗車料金（５００円）とを加算して個別乗車料金総額（９５００円）を算出する。次に、経由地１の個別乗車料金を個別乗車料金総額で除して（１０００円／９５００円）経由地１の個別料金率（０．１０５×１００＝１０．５％）を算出し、経由地２の個別乗車料金を個別乗車料金総額で除して（２５００円／９５００円）経由地２の個別料金率（０．２６３×１００＝２６．３％）を算出し、経由地３の個別乗車料金を個別乗車料金総額で除して（５５００円／９５００円）経由地３の個別料金率（０．５７８×１００＝５７．８％）を算出するとともに、目的地の個別乗車料金を個別乗車料金総額で除して（５００円／９５００円）目的地の個別料金率（０．０５２×１００＝５．２％）を算出する
【０１０２】
乗車料金総額（５２５０円）に経由地１の個別料金率（１０．５％）を乗じて経由地１における各分担定額乗車料金（５２５０×０．１０５＝５４６円、１円単位四捨五入：５５０円）を算出し、乗車料金総額（５２５０円）に経由地２の個別料金率（２６．３％）を乗じて経由地２における各分担定額乗車料金（５２５０×０．２６３＝１３８０円、１円単位四捨五入：１３８０円）を算出し、乗車料金総額（５２５０円）に経由地３の個別料金率（５７．８％）を乗じて経由地３における各分担定額乗車料金（５２５０×０．５７８＝３０３４円、１円単位四捨五入：３０３０円）を算出するとともに、乗車料金総額（５２５０円）に目的地の個別料金率（５．２％）を乗じて目的地における各分担定額乗車料金（５２５０×０．０５２＝２７３円、１円単位四捨五入：２７０円）を算出する。
【０１０３】
定額乗車料金表示システム１０は、経由地を経由しつつ出発地から目的地までの最短の全走行距離に応じた総距離料金に自然渋滞や時間渋滞等の時間的な条件を加える時間係数を乗じることで、自然渋滞や時間渋滞等を考慮した経由地と目的地とにおける正確かつ最低限の各分担定額乗車料金を算出することができる。定額乗車料金表示システム１０は、障害者割引や遠距離割引、高齢者割引等の割引条件がある場合、その割引条件に対応した割引係数を総距離料金に乗じるとともに、割引係数を個別距離料金に乗じることで、割引条件を加えた分担定額乗車料金を算出することができ、割引条件を有する利用者に正確な分担定額乗車料金を提示することができる。定額乗車料金表示システム１０は、深夜運行や早朝運行、特殊営業車両運行（車両割増）等の割増条件がある場合、その割増条件に対応した割増係数を総距離料金に乗じるとともに、割増係数を個別距離料金に乗じることで、割増条件を加えた分担定額乗車料金を算出することができ、割増条件を有する利用者に正確な分担定額乗車料金を提示することができる。
【０１０４】
システムサーバ１１は、分担定額乗車料金を算出した後、出発地住所、経由地住所、目的地住所、経由地を経由した出発地から目的地までの予測経路（ルート）、経由地を経由した出発地から目的地までの予測経路の距離、経由地を経由した出発地から目的地までの予測経路の走行時間（経由地や目的地への到着時間を含む）、分担定額乗車料金、割引条件、割増条件、希望車種、乗車日時、検索したタクシー会社名（タクシー会社識別情報を含む）、携帯通信端末特定情報、会員番号、会員タクシー会社識別情報、検索日時を携帯通信端末特定情報に関連付けた状態で記憶領域に記憶（格納）するとともに、予測経路、予測経路の距離、予測経路の走行時間（経由地や目的地への到着時間を含む）、分担定額乗車料金、乗車日時、検索したタクシー会社名をスマートフォン１３ａに送信する（予測経路送信手段、距離・時間送信手段、分担定額乗車料金送信手段）。
【０１０５】
スマートフォン１３ａがシステムサーバ１１から予測経路、予測経路の距離、予測経路の走行時間（経由地や目的地への到着時間を含む）、分担定額乗車料金、乗車日時、検索したタクシー会社名を受信すると、スマートフォン１３ａのタッチパネル１４には、図１３に示す分担定額乗車料金表示・配車予約画面が表示される。図１３の分担定額乗車料金表示・配車予約画面には、経由地１（フラグ１９ａ）〜経由地３（フラグ１９ｃ）を経由した出発地（フラグ１５）から目的地（フラグ１６）までの予測経路１８を表示した地図１３ｅが表示され（予測経路表示手段）、分担定額乗車料金表示エリア１３ｆ、出発地・経由地・目的地住所表示エリア１３ｇ、距離表示エリア１３ｈ、走行時間・到着時間表示エリア１３ｉ、タクシー会社表示エリア１３ｊ、乗車日時表示エリア１３ｋ、配車予約ボタン１３ｌ、キャンセルボタン１３ｍが表示される。
【０１０６】
分担定額乗車料金表示エリア１３ｆには、経由地１〜経由地３を経由しつつ出発地から目的地までの予測経路１８をタクシーが運行した場合の各利用者が支払う分担定額乗車料金が表示される（分担定額乗車料金表示手段）。出発地・経由地・目的地住所表示エリア１３ｇには、出発地住所表示エリアには、出発地の住所、各経由地（経由地１〜経由地３）の住所、目的地の住所が表示される。距離表示エリア１３ｈには、出発地から各経由地（経由地１〜経由地３）までの予測経路１８の距離が表示され、出発地から目的地までの予測経路１８の距離が表示される。走行時間・到着時間表示エリア１３ｉには、出発地から各経由地（経由地１〜経由地３）までの予測経路１８の走行時間および到着時間が表示され、出発地から目的地までの予測経路１８の走行時間および到着時間が表示される（距離・時間表示手段）。タクシー会社表示エリア１３ｊには、出発地を営業エリア（管轄）とするタクシー会社名が表示される。乗車日時表示エリア１３ｋには、乗車希望日時が表示される。
【０１０７】
定額乗車料金表示システム１０は、利用者が所持するスマートフォン１３ａ（携帯通信端末）に表示された地図に経由地を経由した出発地から目的地までの予測経路１８が表示され、出発地から各経由地までの距離や出発地から目的地までの距離、出発地から各経由地に到着するまでの時間、出発地から目的地に到着するまでの時間が表示されることで、利用者が定額乗車料金とともに予測経路１８や距離、時間を知ることができ、各利用者が定額乗車料金とともに予測経路や距離、時間を考慮してタクシーへの乗車の有無を決めることができる。
【０１０８】
利用者がスマートフォン１３ａのタッチパネル１４に表示された各項目（データ）を視認し、それらの条件でタクシーへの乗車を希望する場合は、配車予約ボタン１３ｌをタップする。配車予約ボタン１３ｌをタップすると、図示はしていないが、スマートフォン１３ａのタッチパネル１４に配車予約確認画面が表示される。配車予約確認画面には、図１３と同様の各表示エリアが表示され、配車予約確定ボタンが表示されるとともに、キャンセルボタンが表示される。利用者が配車予約を確定される場合、配車予約確定ボタンをタップする（配車予約手段）。
【０１０９】
配車予約確定ボタンをタップすると、予約者名、分担定額乗車料金、出発地住所、経由地住所、目的地住所、出発地から各経由地までの走行距離、経由地を経由した出発地から目的地までの走行距離、乗車日時、割引条件、割増条件、希望車種、携帯通信端末特定情報、会員番号、会員タクシー会社識別情報がシステムサーバ１１を経由して事業者サーバ１２に送信され、事業者サーバ１２に接続されたディスプレイ１７に図１４に示す配車予約受付画面が表示される。
【０１１０】
図１４の配車予約受付画面には、経由地１〜経由地３（フラグ１９ａ〜１９ｃ）を経由しつつ出発地（フラグ１５）から目的地（フラグ１６）までの予測経路１８を表示した地図１４ａ、予約者名を表示した予約者名表示エリア１４ｂ、分担定額乗車料金を表示した分担定額乗車料金表示エリア１４ｃ、出発地住所や経由地住所、目的地住所を表示した出発地・経由地・目的地住所表示エリア１４ｄ、走行距離を表示した距離表示エリア１４ｅ、日時を表示した乗車日時表示エリア１４ｆ、現地（出発地）到着時間を表示した現地到着時間表示エリア１４ｇ、割引条件を表示した割引条件表示エリア１４ｈ、割増条件を表示した割増条件表示エリア１４ｉ、希望車種を表示した希望車種表示エリア１４ｊ、乗務員情報を表示した乗務員情報表示エリア１４ｋ、予約受付ボタン１４ｌが表示される（定額乗車料金表示手段）。
【０１１１】
図１４の配車予約受付画面の予約受付ボタン１４ｌをクリックすると、予約受付が完了する。予約受付が完了すると、事業者サーバ１２は、システム管理会社（システム管理者）に所定のシステム利用料金を支払う（システム利用料金支払手段）。事業者サーバ１２は、予約者名、分担定額乗車料金、出発地住所（出発地位置情報）、経由地住所（経由地位置情報）、目的地住所（目的地位置情報）、出発地から各経由地までの走行距離、出発地から目的地までの走行距離、乗車日時、割引条件、割増条件、希望車種、乗務員情報、システム利用料金、受付日時を携帯通信端末特定情報、会員番号、会員タクシー会社識別情報に関連付けた状態での記憶領域に記憶（格納）するとともに、それらの各情報をシステムサーバ１１に送信する。
【０１１２】
システムサーバ１１は、予約者名、分担定額乗車料金、出発地住所（出発地位置情報）、経由地住所（経由地位置情報）、目的地住所（目的地位置情報）、出発地から目的地までの走行距離、乗車日時、割引条件、割増条件、希望車種、乗務員情報、システム利用料金、受付日時を携帯通信端末特定情報、会員番号、会員タクシー会社識別情報に関連付けた状態での記憶領域に記憶（格納）する。
【０１１３】
タクシー会社は、各利用者が今すぐにタクシーを利用する場合、タクシーを手配し、タクシーを出発地点に向かわせる（配車手配手段）。また、各利用者が将来タクシーを利用する場合、予約日の予約時間にタクシーを出発地に向かわせるように手配をする（配車手配手段）。タクシーが出発地に到着し、そのタクシーに乗車した利用者は、所持するキャッシュカードやクレジットカードを利用して定額乗車料金を支払い、または、キャッシュで定額乗車料金を支払う。各利用者を乗せたタクシーは、出発地から予測経路１８を走行して各経由地に向かい、各経由地に到着した後、利用者を降車させ、最終経由地から予測経路１８を走行して目的地に向かい、目的地に到着した後、利用者を降車させる。
【０１１４】
定額乗車料金表示システム１０は、利用者が所持するスマートフォン１３ａ（携帯通信端末）に表示された地図から利用者が出発地と経由地と目的地とを指定した場合、システムサーバ１１が経由地と目的地とにおいて個別に支払う分担定額乗車料金を算出しつつ各分担定額乗車料金をスマートフォン１３ａに送信し、スマートフォン１３ａが分担定額乗車料金を表示するから、タクシー（業務用自動車）を利用する利用者が所持するスマートフォン１３ａに経由地と目的地とにおいて各利用者が個別に支払う分担定額乗車料金を事前に表示することができ、各利用者が分担定額乗車料金を考慮してタクシーへの乗車の有無を決めることができる。
【０１１５】
定額乗車料金表示システム１０は、各利用者が分担定額乗車料金を考慮してタクシーへの乗車を決めた場合、スマートフォン１３ａを利用して利用者が分担定額乗車料金でのタクシーの配車を予約し、事業者サーバ１２が経由地を経由しつつ出発地から目的地まで利用者を乗車させるタクシーの配車を手配するから、利用者がその分担定額乗車料金でのタクシーへの乗車を決めたときにスマートフォン１３ａからタクシーの配車を直ちに予約することができ、タクシーを出発地に速やかに配車することができる。
【０１１６】
定額乗車料金表示システムは、経由地と目的地とにおいて各利用者が個別に支払う分担定額乗車料金が各利用者に事前に示されるから、タクシーへの乗車前に各利用者の乗車料金が明確になり、乗車料金に対する各利用者の不安を取り除くことができ、それら利用者が安心してタクシーに相乗りすることができる。定額乗車料金表示システム１０は、スマートフォン１３ａのタッチパネル１４に表示された地図をタップして出発地と経由地と目的地とを指定することができ、または、タッチパネル１４の地図をスワイプ、ピンチイン、ピンチアウト等しつつ地図をタップして出発地と経由地と目的地とを指定することができるから、簡単に出発地や経由地、目的地を指定（設定）することができ、出発地や経由地、目的地の住所やキーワード、目印等を入力する手間を省くことができる。
【０１１７】
図１５は、事業者サーバ１２に接続されたディスプレイ１７に表示されたシェアー金額表示画面の一例を示す図である。利用者が出張や旅行によって会員タクシー会社（会員事業者）以外の定額乗車料金表示システム１０を利用する非会員タクシー会社（非会員事業者）のタクシーに乗車する場合がある。定額乗車料金表示システム１０を利用する非会員タクシー会社にタクシーの配車を予約する手順は、定額乗車料金表示システム１０を利用する会員タクシー会社にタクシーの配車を予約するそれと同一である。
【０１１８】
非会員タクシー会社の事業者サーバ１２は、システム管理会社（システム管理者）に所定のシステム利用料金を支払う（システム利用料金支払手段）。非会員タクシー会社の事業者サーバ１２からシステム利用料金の支払を受けたシステム管理会社（システム管理者）のシステムサーバ１１は、利用者が会員になった会員タクシー会社以外の非会員タクシー会社にタクシーの配車を予約したときに、その会員が利用契約を結んだ会員タクシー会社にシステム利用料金の中からシェアー金額をキャッシュバックする（キャッシュバック手段）。
【０１１９】
事業者サーバ１２のディスプレイ１７に表示されたシェアー金額表示画面には、図１５に示すように、キャッシュバック金額を表示したキャッシュバック金額表示エリア１５ａ、シェアー金額をキャッシュバックしたタクシー会社を表示したキャッシュバック会社表示エリア１５ｂ、キャッシュバックされた日時を表示したキャッシュバック日時表示エリア１５ｃ、これまでにキャッシュバックされたシェアー金額の累計金額を表示したキャッシュバック累計金額表示エリア１５ｄ、これまでに支払ったシステム利用料金の累計金額を表示したシステム利用料金累計表示エリア１５ｅが表示される。
【０１２０】
定額乗車料金表示システム１０は、会員タクシー会社（会員事業者）にシステム利用料金の中から所定のシェアー金額をキャッシュバックすることで、会員の多いタクシー会社（事業者）が一層利益を上げることが可能なビジネスモデルを作ることができ、各タクシー会社（各事業者）に対して定額乗車料金表示システム１０を利用する会員獲得の促進を図ることができる。
【０１２１】
図１６は、スマートフォン１３ａのタッチパネル１４に表示された評価入力画面の一例を示す図であり、図１７は、事業者サーバ１２に接続されたディスプレイ１７に表示された評価表示画面の一例を示す図である。図１８は、スマートフォン１３ａのタッチパネル１４に表示された評価表示画面の一例を示す図である。定額乗車料金表示システム１０を利用するタクシー会社のタクシーに乗車した利用者がそのタクシーの接客態度や運転技術等に対する評価を入力する場合、図２のメニュー画面において評価入力ボタン２ｃをタップする。利用者が評価入力ボタン２ｃをタップすると、スマートフォン１３ａのタッチパネル１４には、図示はしていないが、評価対象タクシー選択画面が表示される。
【０１２２】
評価対象タクシー選択画面には、過去または直近に乗車し、評価入力をしていないタクシーのタクシー会社やタクシー番号（ナンバープレート番号）、乗車日時を表示した評価対象タクシー選択エリア、選択ボタン、キャンセルボタンが表示される。利用者が評価対象タクシー選択エリアから特定のタクシー会社、タクシー番号、乗車日時を選択（反転）し、選択ボタンをタップすると、スマートフォン１３ａのタッチパネル１４には、図１６に示す評価入力画面が表示される。
【０１２３】
図１６の評価入力画面には、評価対象のタクシー会社を表示したタクシー会社表示エリア１６ａ、評価対象のタクシーのタクシー番号（ナンバープレート番号）を表示したタクシー番号表示エリア１６ｂ、評価対象のタクシーの乗車日時を表示した乗車日時表示エリア１６ｃ、評価項目を選択する評価項目選択エリア１６ｄ、送信ボタン１６ｅ、クリアボタン１６ｆ、キャンセルボタン１６ｇが表示される。評価項目選択エリア１６ｄには、１悪い、２あまりよくない、３標準的、４やや良い、５非常に良いが表示される。利用者は、評価項目選択エリア１６ｄのチェックボックスにチェックマークを入れ、タクシーのサービスに対する評価項目（評価点）を入力した後、送信ボタン１６ｅをタップする。
【０１２４】
送信ボタン１６ｅをタップすると、評価を入力したタクシー会社に評価入力済みが付与され、チェックマークを入れたチェックボックスの評価項目（評価点）がスマートフォン１３ａからシステムサーバ１１に送信される（評価入力手段）。たとえば、（１悪い）の評価項目を選択すると、１点（評価点）がスマートフォン１３ａからシステムサーバ１１に送信され、（３標準的）の評価項目を選択すると、３点（評価点）がスマートフォン１３ａからシステムサーバ１１に送信されるとともに、（５非常に良い）の評価項目を選択すると、５点（評価点）がスマートフォン１３ａからシステムサーバ１１に送信される。
【０１２５】
スマートフォン１３ａから評価点（評価項目）を受信したシステムサーバ１１は、所定数の星印（記号）に変換し、所定数の星印を評価対象のタクシー会社の事業者サーバ１２に送信するとともに、定額乗車料金表示システム１０を利用する利用者のスマートフォン１３ａに送信する（評価送信手段）。星印（記号）への変換は、たとえば、１ヶ月の間に３００人から評価が入力され、評価点の総和が１２７５点である場合、その平均点が１２７５／３００＝４．２５となり、それを星印に変換すると、★★★★☆となり、それら星印（★★★★☆）を事業者サーバ１２およびスマートフォン１３ａに送信する。
【０１２６】
事業者サーバ１２のディスプレイ１７に表示された評価表示画面には、図１７に示すように、システム利用者数を表示したシステム利用者数表示エリア１７ａ、評価回答者数を表示した評価回答者数表示エリア１７ｂ、リセット回数を表示したリセット回数表示エリア１７ｃ、リセットチャンスの回数を表示したリセットチャンス回数表示エリア１７ｄ、リセットした日時を表示したリセット日時表示エリア１７ｅ、評価表示エリア１７ｆ、リセットボタン１７ｇが表示される。評価表示エリア１７ｆには、システムサーバ１１から送信された評価（星印、図１７では★★★★☆）が表示される（評価表示手段）。リセット回数表示エリア１７ｃのリセット回数は、過去にリセットした回数であり、リセットチャンス回数表示エリア１７ｄのリセットチャンス回数は、今後リセットをすることが可能な回数である。
【０１２７】
リセットは、たとえば、３ヶ月に１回、評価の星印が★★★★（４点）未満である（記号が一定数を下回る場合）評価が低いタクシー会社の星印★★★★（４点）未満を削除（一定数を下回る記号による評価結果を削除）し、そのタクシー会社に評価の再チャレンジを行うチャンスを与える。リセット（再チャレンジ）を行う場合、リセットボタン１７ｇをクリックする（評価リセット手段）。リセットボタン１７ｇをクリックすることで、評価の星印を★★★★（４点）に戻すことができる。しかし、リセット数が１つ加算され、リセット日時表示エリア１７ｅにリセットした日時が表示される。
【０１２８】
定額乗車料金表示システム１０は、事業者サーバ１２に表示された評価を確認することで、各タクシー会社（各事業者）が利用者の評価を知ることができ、評価が低い場合、利用者に対するサービス向上に努めることで、各タクシー会社のタクシーに対する利用者を増やすことができる。定額乗車料金表示システム１０は、低い評価のタクシー会社（事業者）に対して各利用者による評価の再チャレンジをすることで、各タクシー会社が評価アップのための方策を立案し、それを実行することで、タクシーを利用する利用者に対するサービス向上を図ることができ、そのタクシー会社のタクシーの利用者を増やすことができるとともに、各タクシー会社の売り上げを増やすことができる。
【０１２９】
利用者が各タクシー会社の評価を視認するには、図２のメニュー画面において評価表示ボタン２ｄをタップする。利用者が評価表示ボタン２ｄをタップすると、スマートフォン１３ａのタッチパネル１４には、図示はしていないが、評価表示会社選択画面が表示される。評価表示会社選択画面には、複数のタクシー会社が表示されたタクシー会社選択エリア、選択ボタン、キャンセルボタンが表示される。
【０１３０】
利用者がタクシー会社選択エリアから特定のタクシー会社を選択（反転）し、選択ボタンをタップすると、選択したタクシー会社名、そのタクシー会社のシステム利用者数、そのタクシー会社に対する評価回答者数、そのタクシー会社のリセット回数、そのタクシー会社のリセット日時、そのタクシー会社の評価がシステムサーバ１１からスマートフォン１３ａに送信され、図１８に示す評価表示画面がスマートフォン１３ａのタッチパネル１４に表示される。
【０１３１】
図１８の評価表示画面には、評価表示対象のタクシー会社名を表示したタクシー会社名表示エリア１８ａ、システム利用者数を表示したシステム利用者数表示エリア１８ｂ、評価回答者数を表示した評価回答者数表示エリア１８ｃ、リセット回数を表示したリセット回数表示エリア１８ｄ、リセットした日時を表示したリセット日時表示エリア１８ｅ、評価表示エリア１８ｆが表示される。評価表示エリア１８ｆには、システムサーバから送信された評価（星印、図１８では★★★★☆）が表示される（評価表示手段）。定額乗車料金表示システム１０は、スマートフォン１３ａ（携帯通信端末）に各タクシー会社（各事業者）の評価が表示されるから、利用者が各タクシー会社の評価を知ることができ、評価を検討しつつそのタクシー会社のタクシーの利用の有無を決めることができる。
【符号の説明】
【０１３２】
１０    定額乗車料金表示システム
１１    システムサーバ
１２    事業者サーバ
１３ａ  スマートフォン
１３ｂ  ノート型パソコン
１３ｃ  タブレット
１４    タッチパネル
１５    フラグ（出発地）
１６    フラグ（目的地）
１７    ディスプレイ
１８    予測経路
１９ａ  フラグ（経由地１）
１９ｂ  フラグ（経由地２）
１９ｃ  フラグ（経由地３）
【図１】
2018088127.tif 000003
【図２】
2018088127.tif 000004
【図３】
2018088127.tif 000005
【図４】
2018088127.tif 000006
【図５】
2018088127.tif 000007
【図６】
2018088127.tif 000008
【図７】
2018088127.tif 000009
【図８】
2018088127.tif 000010
【図９】
2018088127.tif 000011
【図１０】
2018088127.tif 000012
【図１１】
2018088127.tif 000013
【図１２】
2018088127.tif 000014
【図１３】
2018088127.tif 000015
【図１４】
2018088127.tif 000016
【図１５】
2018088127.tif 000017
【図１６】
2018088127.tif 000018
【図１７】
2018088127.tif 000019
【図１８】
2018088127.tif 000020